(57)【要約】【課題】  使い勝手のよい全自動洗濯機を提供する。【解決手段】  全自動洗濯機では、制御部８に含まれるマイクロコンピュータ１５において、洗濯兼脱水槽内に収容された布量の検出結果である状態検知回路１８からの検出信号に基づいて洗濯に必要な水位および運転制御が確定され、状態が運転状態から運転停止状態に移行する。その後、入力キー回路１７からの信号情報に基づいて、マイクロコンピュータ１５においてユーザが予約キーを押したことが検出されると、状態が運転停止状態から運転状態に移行し、給水等の制御が開始される。【選択図】        図２
2005334421.tif 000002
【特許請求の範囲】
【請求項１】
投入された洗濯物の量を検知する布量検知手段と、
指示入力を受付ける操作部入力手段と、
前記操作部入力手段で受付けた前記指示入力を表示する表示手段と、
洗濯運転初期に前記布量検知手段において前記投入された洗濯物の量を検知した後に運転停止状態に移行し、前記運転停止状態に前記操作部入力手段で受付けた運転開始指示に応じて運転状態に移行するよう状態を制御する状態制御手段とを備える、全自動洗濯機。
【請求項２】
投入された洗濯物の量を検知する布量検知手段と、
指示入力を受付ける操作部入力手段と、
前記操作部入力手段で受付けた前記指示入力を表示する表示手段と、
運転停止状態に移行してから所定時間の経過を検知する検知手段と、
前記検知手段で検知された所定時間の経過と、前記操作部入力手段で受付けた運転開始指示とのうちから、前記運転停止状態から運転状態へ移行する運転開始条件を選択する選択手段と、
洗濯運転初期に前記布量検知手段において前記投入された洗濯物の量を検知した後に前記運転停止状態に移行し、前記選択手段において選択された前記運転開始条件が満たされたときに、前記運転停止状態から前記運転状態に移行するよう状態を制御する状態制御手段とを備える、全自動洗濯機。
【請求項３】
前記選択手段により選択された運転開始条件を表示する運転開始条件表示手段をさらに備える、請求項２に記載の全自動洗濯機。
【請求項４】
前記選択手段により選択された運転開始条件を記憶する、不揮発性の記憶手段をさらに備える、請求項２または３に記載の全自動洗濯機。
【請求項５】
前記表示手段は、前記運転停止状態時において洗剤量を表示し、
前記操作部入力手段は運転内容の変更の指示入力を受付け、
前記表示手段は、前記操作部入力手段により変更された運転内容に連動して、前記洗剤量表示の表示を変更する、請求項１〜４のいずれかに記載の全自動洗濯機。
【請求項６】
前記操作部入力手段で受付けた前記指示入力に基づいて、前記運転停止状態を取消し、次の指示入力があるまでの一時的な停止状態である運転一時停止状態に移行するよう状態を制御する取消手段をさらに備える、請求項１〜５のいずれかに記載の全自動洗濯機。
【請求項７】
前記操作部入力手段の所定キーの入力時間に応じて、前記取消手段における前記状態の制御と、前記状態制御手段における前記状態の制御とのいずれかが実行される、請求項６に記載の全自動洗濯機。
【請求項８】
前記運転停止状態においてドア開放を可能とする、請求項１〜７のいずれかに記載の全自動洗濯機。
【請求項９】
前記運転停止状態においてドア開放を可能とし、
前記運転停止状態において前記ドア開放を検出するドア開放検知手段と、
前記ドア開放検知手段において前記ドア開放を検知した場合に、前記検知手段における前記時間経過の検知を停止し、前記操作部入力手段による前記運転開始指示を無効とするよう制御するドア開放時制御手段とをさらに備える、請求項２〜７のいずれかに記載の全自動洗濯機。
【請求項１０】
前記運転停止状態において前記ドア開放後の閉鎖を検出するドア閉鎖検知手段をさらに備え、
前記状態制御手段は、前記ドア閉鎖検知手段において前記ドア開放後の閉鎖を検出した場合に、前記運転停止状態から前記運転状態に移行するよう状態を制御する、請求項８または９に記載の全自動洗濯機。
【請求項１１】
前記布量検知手段は、前記状態制御手段において前記状態が前記運転状態に移行するよう制御された後に、再度、洗濯物の量を検知する、請求項１０に記載の全自動洗濯機。
【請求項１２】
前記ドア閉鎖検知手段において前記ドア開放後の閉鎖を検出した場合に、前記操作部入力手段で受付けた前記指示入力に基づいて、前記布量検知手段において、再度、洗濯物の量を検知するか否かを確定する布量再検知確定手段をさらに備え、
前記布量検知手段は、前記状態制御手段において前記状態が前記運転状態に移行するよう制御された後に、前記布量再検知確定手段において、再度洗濯物の量を検知すると確定された場合に、再度、洗濯物の量を検知する、請求項１０に記載の全自動洗濯機。
【請求項１３】
前記状態制御手段は、運転終了時間を指定できる予約時間が設定された予約運転が開始された場合には、前記洗濯運転初期に前記布量検知手段において前記投入された洗濯物の量を検知した後に前記運転停止状態に移行し、前記運転停止状態時には前記操作部入力手段で受付けた前記運転開始指示を無効とし、前記検知手段で前記所定時間の時間経過が検知されたときに、前記運転停止状態から予約運転待機状態に移行するよう状態を制御する、請求項２〜１２のいずれかに記載の全自動洗濯機。
【請求項１４】
前記状態制御手段は、前記予約時間が運転時間より短い場合には、前記洗濯運転初期に前記布量検知手段において前記投入された洗濯物の量を検知した後に前記運転停止状態に移行し、前記検知手段で前記所定時間の時間経過が検知されたとき、または前記操作部入力手段において前記運転開始指示を受付けたときに、前記運転停止状態から前記運転状態に移行するよう状態を制御する、請求項１３に記載の全自動洗濯機。
【請求項１５】
前記運転停止状態に移行後、所定のエラー検出時間が経過した後も、前記操作部入力手段により運転開始を指示する前記指示入力を受付けない場合に、エラーを検出するエラー検出手段と、
前記エラー検出時に、前記表示手段にその旨を表示し、報知音を報知するよう制御するエラー制御手段とをさらに備える、請求項１〜１４のいずれかに記載の全自動洗濯機。
【請求項１６】
前記エラー検出時間は、前記検知手段で経過が検知される前記所定時間以上の長さの時間である、請求項１５に記載の全自動洗濯機。
【請求項１７】
前記エラー制御手段は、前記エラー検出手段においてエラーを検出後に、再度、エラーを検出した場合に、前記報知音を報知するよう制御する、請求項１５または１６に記載の全自動洗濯機。
【請求項１８】
前記エラー制御手段における前記報知音の報知が所定回数に達した場合には、前記エラー検出手段は、その後、前記エラーの検出を行なわない、請求項１７に記載の全自動洗濯機。
【請求項１９】
前記エラー制御手段は、前記表示手段において、前記エラーの表示と洗剤量の表示とを交互に表示するよう制御する、請求項１５〜１８のいずれかに記載の全自動洗濯機。
【発明の詳細な説明】
【技術分野】
【０００１】
この発明は全自動洗濯機に関し、特に、使い勝手のよい全自動洗濯機に関する。
【背景技術】
【０００２】
従来の全自動洗濯機は布量を検知する検知手段により布量を判定してその布量に応じて洗剤量表示を行ない、使用者は、その後、洗剤量表示を目安に洗剤を洗剤投入ケース等に投入している。
【０００３】
その具体例としては、特許文献１では、洗剤投入ケースの検出手段により洗剤投入ケースの出入れの状態を検出し、洗剤が投入されたことを判断して給水を開始する全自動洗濯機が開示されており、特許文献２では、洗剤投入が可能な洗剤投入最適期間の経過の後に給水を開始する全自動洗濯機などが開示されている。
【特許文献１】特開２００２−２６３３９４号公報
【特許文献２】特開２００３−２９０５９１号公報
【発明の開示】
【発明が解決しようとする課題】
【０００４】
しかしながら、上記特許文献１に開示されている全自動洗濯機のように、洗剤投入ケースの検出手段を備えると、全自動洗濯機の製造コストが高くなるという課題があった。また、上記特許文献２に開示されている全自動洗濯機のように、洗剤投入最適期間を経過するまで給水を開始しない場合には、余分な運転時間を必要とする課題があった。
【０００５】
よって、本発明は上記課題を解決し、製造コストを上げることなく使用者が使いやすい、使い勝手のよい全自動洗濯機を提供することを目的とする。
【課題を解決するための手段】
【０００６】
上記目的を達成するために、本発明のある局面に従うと、全自動洗濯機は、投入された洗濯物の量を検知する布量検知手段と、指示入力を受付ける操作部入力手段と、操作部入力手段で受付けた指示入力を表示する表示手段と、洗濯運転初期に布量検知手段において投入された洗濯物の量を検知した後に運転停止状態に移行し、運転停止状態に操作部入力手段で受付けた運転開始指示に応じて運転状態に移行するよう状態を制御する状態制御手段とを備える。
【０００７】
本発明の他の局面に従うと、全自動洗濯機は、投入された洗濯物の量を検知する布量検知手段と、指示入力を受付ける操作部入力手段と、操作部入力手段で受付けた指示入力を表示する表示手段と、運転停止状態に移行してから所定時間の経過を検知する検知手段と、検知手段で検知された所定時間の経過と、操作部入力手段で受付けた運転開始指示とのうちから、運転停止状態から運転状態へ移行する運転開始条件を選択する選択手段と、洗濯運転初期に布量検知手段において投入された洗濯物の量を検知した後に運転停止状態に移行し、選択手段において選択された運転開始条件が満たされたときに、運転停止状態から運転状態に移行するよう状態を制御する状態制御手段とを備える。
【０００８】
さらに、全自動洗濯機は、選択手段により選択された運転開始条件を表示する運転開始条件表示手段を備えることが好ましい。
【０００９】
また、全自動洗濯機は、選択手段により選択された運転開始条件を記憶する、不揮発性の記憶手段をさらに備えることが好ましい。
【００１０】
また、表示手段は、前記運転停止状態時において洗剤量を表示し、操作部入力手段は運転内容の変更の指示入力を受付け、表示手段は、操作部入力手段により変更された運転内容に連動して、洗剤量表示の表示を変更することが好ましい。
【００１１】
また、全自動洗濯機は、操作部入力手段で受付け指示入力に基づいて、運転停止状態を取消し、次の指示入力があるまでの一時的な停止状態である運転一時停止状態に移行するよう状態を制御する取消手段をさらに備えることが好ましい。
【００１２】
さらに、操作部入力手段の所定キーの入力時間に応じて、取消手段における状態の制御と、状態制御手段における状態の制御とのいずれかが実行されることが好ましい。
【００１３】
また、全自動洗濯機は、運転停止状態においてドア開放を可能とすることが好ましい。
【００１４】
また、全自動洗濯機は、運転停止状態においてドア開放を可能とし、運転停止状態においてドア開放を検出するドア開放検知手段と、ドア開放検知手段においてドア開放を検知した場合に、検知手段における時間経過の検知を停止し、操作部入力手段による運転開始指示を無効とするよう制御するドア開放時制御手段とをさらに備えることが好ましい。
【００１５】
さらに、全自動洗濯機は、運転停止状態においてドア開放後の閉鎖を検出するドア閉鎖検知手段を備え、状態制御手段は、ドア閉鎖検知手段においてドア開放後の閉鎖を検出した場合に、運転停止状態から運転状態に移行するよう状態を制御することが好ましい。
【００１６】
さらに、布量検知手段は、状態制御手段において状態が運転状態に移行するよう制御された後に、再度、洗濯物の量を検知することがより好ましい。
【００１７】
または、全自動洗濯機は、ドア閉鎖検知手段においてドア開放後の閉鎖を検出した場合に、操作部入力手段で受付けた指示入力に基づいて、布量検知手段において、再度、洗濯物の量を検知するか否かを確定する布量再検知確定手段をさらに備え、布量検知手段は、状態制御手段において状態が運転状態に移行するよう制御された後に、布量再検知確定手段において、再度洗濯物の量を検知すると確定された場合に、再度、洗濯物の量を検知することがより好ましい。
【００１８】
また、状態制御手段は、運転終了時間を指定できる予約時間が設定された予約運転が開始された場合には、洗濯運転初期に布量検知手段において投入された洗濯物の量を検知した後に運転停止状態に移行し、運転停止状態時には操作部入力手段で受付けた運転開始指示を無効とし、検知手段で所定時間の時間経過が検知されたときに、運転停止状態から予約運転待機状態に移行するよう状態を制御することが好ましい。
【００１９】
さらに、状態制御手段は、予約時間が運転時間より短い場合には、洗濯運転初期に布量検知手段において投入された洗濯物の量を検知した後に運転停止状態に移行し、検知手段で所定時間の時間経過が検知されたとき、または操作部入力手段において運転開始指示を受付けたときに、運転停止状態から運転状態に移行するよう状態を制御することが好ましい。
【００２０】
また、全自動洗濯機は、運転停止状態に移行後、所定のエラー検出時間が経過した後も、操作部入力手段により運転開始を指示する指示入力を受付けない場合に、エラーを検出するエラー検出手段と、エラー検出時に、表示手段にその旨を表示し、報知音を報知するよう制御するエラー制御手段とをさらに備えることが好ましい。
【００２１】
なお、上記エラー検出時間は、検知手段で経過が検知される所定時間以上の長さの時間であることがより好ましい。
【００２２】
また、エラー制御手段は、エラー検出手段においてエラーを検出後に、再度、エラーを検出した場合に、報知音を報知するよう制御することが好ましい。
【００２３】
さらに、エラー制御手段における報知音の報知が所定回数に達した場合には、エラー検出手段は、その後、エラーの検出を行なわないことがより好ましい。
【００２４】
また、エラー制御手段は、表示手段において、上記エラーの表示と洗剤量の表示とを交互に表示するよう制御することが好ましい。
【発明を実施するための最良の形態】
【００２５】
はじめに、以下の実施の形態は本発明を具体化した一例で本発明の技術的範囲を制限するものではない。よって、本発明の洗濯機は全自動洗濯機に限定されず、略水平の回転軸周りに回転するドラムを有するいわゆるドラム式洗濯機または洗濯槽および脱水槽を設けたいわゆる二槽式洗濯機であってもよい。
【００２６】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００２７】
［第１の実施の形態］
図１は、第１の実施の形態にかかる全自動洗濯機の概略構成の具体例を示す図である。
【００２８】
図１を参照して、本実施の形態にかかる全自動洗濯機においては、水槽６と、水槽６の中の洗濯兼脱水槽５と、洗濯兼脱水槽５底部の攪拌用のパルセータ７とが機構部９に軸着され、パルセータ７は、駆動用モータ１０に連結する。
【００２９】
制御部８は、これらの運転をコントロールする。また、制御部８は、洗濯兼脱水槽５内に収容された洗濯物の布量を検出するため、パルセータ７を駆動することによる負荷によって布量を判定する布量検出手段を備える。制御部８は、給水を開始する前に、洗濯物を洗濯兼脱水槽５内に収容した状態で布量検出手段によって洗濯物の布量を検出する。
【００３０】
洗濯兼脱水槽５には、給水電磁弁１を通して水道水が給水される。また、給水時には洗剤溶解ボックス３にも、給水電磁弁１を通して水道水が給水され、中の洗剤が溶解して洗濯兼脱水槽５内に流入する。給水電磁弁１は、洗濯兼脱水槽５内に給水する場合には開くように駆動され、給水を停止する場合には閉じるように駆動される。
【００３１】
また、本実施の形態にかかる全自動洗濯機には洗濯兼脱水槽５内への上記給水に伴う水位を計測するための水位センサ１４が設けられる。
【００３２】
また洗濯機外槽４は、洗濯機上面板１３に接合された、洗濯物を出し入れするためのフタ２を上部に有する。また、上部には、スイッチ１２を含む操作部１１が設けられ、その裏側には制御部８が取付けられている。制御部８は、操作部１１からの入力に基づいて洗い工程、すすぎ工程、および脱水工程を連続または複数工程または単独工程にて実行する。
【００３３】
図２は、制御部８と、それによって駆動される各種機能とを示すブロック図である。
【００３４】
図２を参照して、制御部８に含まれるマイクロコンピュータ１５はＲＯＭ（Read Only Memory）１６を含んで構成され、ＲＯＭ１６に記憶されているプログラムに従って各種の制御を行なう。
【００３５】
マイクロコンピュータ１５は、運転時間等をカウントするカウント部２３、およびカウント部２３でカウントした時間等を一時的に保持するＲＡＭ（Random Access Memory）２４をさらに含む。
【００３６】
また、制御部８は、マイクロコンピュータ１５の他に、入力キー回路１７、状態検知回路１８、表示装置１９、ブザー２０、負荷駆動回路２１、およびマイクロコンピュータ１５を初期化するリセット回路２２を含んで構成される。入力キー回路１７、状態検知回路１８、表示装置１９、ブザー２０、および負荷駆動回路２１は、Ｉ／Ｏ（In Out）ポートを介してマイクロコンピュータ１５に接続される。
【００３７】
入力キー回路１７は、操作部１１からの入力に基づいた信号情報をＩ／Ｏポートを介してマイクロコンピュータ１５に入力する。
【００３８】
状態検知回路１８は、水位センサ１４や上述の布量検出手段を構成するセンサ等の、全自動洗濯機の状態を検出するセンサと、これらのセンサからの検出信号をデジタル信号に変換する回路とをさらに含んで構成される。そして、デジタル信号に変換された、洗濯兼脱水槽５内の布量や水位などの全自動洗濯機の状態を示す検出信号を、Ｉ／Ｏポートを介してマイクロコンピュータ１５に入力する。
【００３９】
マイクロコンピュータ１５は、ＲＯＭ１６に各種判定値を記憶保持し、状態検知回路１８から入力された検出信号と判定値とを比較することで、洗濯に必要な水位や運転制御を確定し、制御信号を表示装置１９や負荷駆動回路２１等に出力する。
【００４０】
表示装置１９は、Ｉ／Ｏポートを介してマイクロコンピュータ１５から制御信号を受取り、所定の表示を行なう。
【００４１】
ブザー２０は、Ｉ／Ｏポートを介してマイクロコンピュータ１５から制御信号を受取り、洗濯終了時や異常があった場合などにブザー音を出力する。
【００４２】
負荷駆動回路２１は、Ｉ／Ｏポートを介してマイクロコンピュータ１５から制御信号を受取り、該制御信号にしたがって、給水電磁弁１、駆動用モータ１０、および排水弁等を駆動する。
【００４３】
図３は、本実施の形態にかかる全自動洗濯機の、操作部１１の入力キーのレイアウトの具体例を示す図である。
【００４４】
図３を参照して、操作部１１には、液晶等からなる表示部２５、洗濯終了時間を予約設定するための予約キー２６、洗濯工程の運転内容を設定するための洗いキー２７、すすぎ工程の運転内容を設定するためのすすぎキー２８、脱水工程の運転内容を選択するための脱水キー２９、コースを選択するためのコースキー３０、電源キー３１、および洗濯機の動作をスタート・一時停止させるためのスタートキー３２が含まれる。
【００４５】
次に、図４のフローチャートを用いて、第１の実施の形態にかかる全自動洗濯機での処理について説明する。図４のフローチャートに示される処理は、制御部８に含まれるマイクロコンピュータ１５がＲＯＭ１６に記憶されているプログラムに従って図２に示される各種機能を制御することによって実現される処理であって、ユーザが運転コースおよび各種設定を行なった後、図３に示されるスタートキー３２を押すことで開始（ステップ＃１−１）される。なお、図４のフローチャートに示される処理は、予約キー２６が押されることが運転開始の指示である処理であるものとする
図４を参照して、始めに、ステップ＃１−１で全自動洗濯機の運転が開始されると、制御部８の布量検出手段によって洗濯兼脱水槽５内に収容された布量が検知され（ステップ＃１−２）、マイクロコンピュータ１５は、状態検知回路１８からの検出信号と判定値とに基づいて洗濯に必要な水位および運転制御を確定する（ステップ＃１−３）。その後、マイクロコンピュータ１５は処理状態を運転停止状態に移行し（ステップ＃１−４）、入力キー回路１７からの信号情報に基づいて、運転開始指示とする予約キー２６が押されたか否かを判定する（ステップ＃１−５）。
【００４６】
予約キー２６が押されたことが検出されると（ステップ＃１−５で「はい」）、マイクロコンピュータ１５は処理状態を運転停止状態から運転状態に移行し、給水等の制御を開始する（ステップ＃１−６）。
【００４７】
予約キー２６が押されたことが検出されない場合（ステップ＃１−５で「いいえ」）、マイクロコンピュータ１５は、予約キー２６が押されたことが検出されるまで運転停止状態を継続する。なお、ステップ＃１−５での運転開始指示は予約キー２６が押されることに限定されず、たとえば、スタートキー３２が押されることや、スタートキー３２と予約キー２６とが同時に押されることなどでもよい。以降の実施の形態においても同様である。
【００４８】
以上より、第１の実施の形態にかかる全自動洗濯機は、洗濯物の量を検知する布量検知手段と、運転内容など各種設定や運転の開始または停止を指示する操作部入力手段と、操作部入力手段により設定された内容および運転状態等を表示する表示手段とを有し、洗濯運転初期の布量検知判定後に運転停止状態に移行し、運転停止状態から運転状態に移行することを可能にする操作部入力手段を設けて、運転停止状態にて操作部入力手段による運転開始指示を可能としている。
【００４９】
そのため、ユーザは、運転停止状態にて操作部入力手段による運転開始指示を行なうことができ、洗剤を投入後、すぐに運転開始することができる。また、洗剤投入中に運転が開始することもなく、自分のペースにあった、使い勝手のよい、また製造コストが上がることのない洗濯機を提供することができる。
【００５０】
［第２の実施の形態］
第２の実施の形態にかかる全自動洗濯機の構成、機能、および操作部１１の入力キーのレイアウトは、第１の実施の形態にかかる全自動洗濯機の構成、機能、および操作部１１の入力キーのレイアウトと同様である。
【００５１】
図５のフローチャートを用いて、第２の実施の形態にかかる全自動洗濯機での処理について説明する。図５のフローチャートに示される処理もまた、制御部８に含まれるマイクロコンピュータ１５がＲＯＭ１６に記憶されているプログラムに従って図２に示される各種機能を制御することによって実現される処理である。なお、図５のフローチャートに示される処理は、予約キー２６が押されることが運転開始の指示であり、予約キー２６が押されることである「予約キー入力」、「所定時間の経過」、または「予約キー入力あるいは所定時間の経過」が運転開始条件であるものとする。
【００５２】
図５を参照して、始めに、入力キー回路１７からの信号情報に基づいて、マイクロコンピュータ１５において予約キー２６と電源キー３１とが同時に押されたことが検出されることで電源がＯＮされる（ステップ＃２−１）。その直後、マイクロコンピュータ１５は、入力キー回路１７からの信号情報に基づいて、運転開始条件を決定する処理を実行する。
【００５３】
運転開始条件を決定する処理として、始めに、マイクロコンピュータ１５は、入力キー回路１７からの信号情報に基づいて、予約キー２６が電源がＯＮされる前から押されているかを判定する（ステップ＃２−２）。その結果、予約キー２６が電源がＯＮされる前から押されていると判定されると（ステップ＃２−２で「あり」）、マイクロコンピュータ１５は、運転開始条件を「予約キー入力」に確定する（ステップ＃２−３）。
【００５４】
予約キー２６が電源がＯＮされる前から押されていると判定されない場合（ステップ＃２−２で「なし」）、次に、マイクロコンピュータ１５は、入力キー回路１７からの信号情報に基づいて、洗いキー２７と電源キー３１とが電源がＯＮされる前から同時に押されているかを判定する（ステップ＃２−４）。その結果、洗いキー２７と電源キー３１とが電源がＯＮされる前から同時に押されている判定されると（ステップ＃２−４で「あり」）、マイクロコンピュータ１５は、運転開始条件を「所定時間の経過」に確定する（ステップ＃２−６）。ここで、所定時間はたとえば１分とする。
【００５５】
電源がＯＮされた直後にマイクロコンピュータ１５がいずれのキー入力も検知しなかった場合には（ステップ＃２−２で「なし」、かつステップ＃２−４で「なし」）、マイクロコンピュータ１５は、運転開始条件を「予約キー入力あるいは所定時間の経過」に確定する（ステップ＃２−５）。
【００５６】
以上の運転開始条件の決定処理が行なわれ、ユーザが運転コースおよび各種設定を行なった後に図３に示されるスタートキー３２を押すことで、マイクロコンピュータ１５は全自動洗濯機の運転を開始するよう制御する（ステップ＃２−７）。
【００５７】
ステップ＃２−７で全自動洗濯機の運転が開始されると、洗濯兼脱水槽５内に収容された布量が検知され（ステップ＃２−８）、洗濯に必要な水位および運転制御が確定（ステップ＃２−９）された後に、処理状態が運転停止状態に移行される（ステップ＃２−１０）。この、ステップ＃２−８〜＃２−１０の処理は、第１の実施の形態にかかる全自動洗濯機の処理（図４）におけるステップ＃１−２〜＃１−４の処理と同様である。
【００５８】
ステップ＃２−１０で運転停止状態に移行されると、マイクロコンピュータ１５は、上述の運転開始条件の決定処理で決定された運転開始条件を判定する（ステップ＃２−１１）。その結果、運転開始条件の決定処理で決定された運転開始条件が「予約キー入力」である場合には（ステップ＃２−１１で「予約キー入力」）、処理をステップ＃２−１２に進める。
【００５９】
ステップ＃２−１２において、マイクロコンピュータ１５は、入力キー回路１７からの信号情報に基づいて、運転開始条件とする予約キー２６が押されたか否かを判定し、その結果、予約キー２６が押されたことが検出されると（ステップ＃２−１２で「はい」）、マイクロコンピュータ１５は処理状態を運転停止状態から運転状態に移行して給水等の制御を開始する（ステップ＃２−１９）。予約キー２６が押されたことが検出されない場合（ステップ＃２−１２で「いいえ」）、マイクロコンピュータ１５は、予約キー２６が押されたことが検出されるまで運転停止状態を継続する。
【００６０】
運転開始条件の決定処理で決定された運転開始条件が「所定時間の経過」である場合には（ステップ＃２−１１で「所定時間の経過」）、処理をステップ＃２−１３に進める。
【００６１】
ステップ＃２−１２において、マイクロコンピュータ１５は、運転開始条件である所定時間を計測するタイマのカウントをスタートさせる。そして、所定時間である１分が経過したことが判定されると（ステップ＃２−１４で「はい」）、タイマをクリアし（ステップ＃２−１５）、処理状態を運転停止状態から運転状態に移行して給水等の制御を開始する（ステップ＃２−１９）。
【００６２】
運転開始条件の決定処理で決定された運転開始条件が「予約キー入力あるいは所定時間の経過」である場合には（ステップ＃２−１１で「予約キー入力あるいは所定時間の経過」）、処理をステップ＃２−１６に進める。
【００６３】
ステップ＃２−１６において、マイクロコンピュータ１５は、運転開始条件である所定時間を計測するタイマのカウントをスタートさせる。マイクロコンピュータ１５は、タイマのカウント中に予約キー２６が押されたか否かを判定し（ステップ＃２−１７）、タイマのカウント中に予約キー２６が押されたことを検出すると（ステップ＃２−１７で「はい」）、タイマをクリアし（ステップ＃２−１５）、処理状態を運転停止状態から運転状態に移行して給水等の制御を開始する（ステップ＃２−１９）。
【００６４】
なお、タイマのカウント中に予約キー２６が押されたことを検出しない場合（ステップ＃２−１７で「いいえ」）、所定時間の１分が経過したことが判定されると（ステップ＃２−１８で「はい」）、タイマをクリアし（ステップ＃２−１５）、処理状態を運転停止状態から運転状態に移行して給水等の制御を開始する（ステップ＃２−１９）。
【００６５】
以上より、第２の実施の形態にかかる全自動洗濯機は、洗濯物の量を検知する布量検知手段と、運転内容など各種設定や運転の開始または停止を指示する操作部入力手段と、操作部入力手段により設定された内容および運転状態等を表示する表示手段とを有し、洗濯運転初期の布量検知判定後に運転停止状態に移行し、運転停止状態から運転状態に移行するための運転開始条件を、運転停止状態移行より所定時間の経過を検知する検知手段の時間経過による運転開始指示および操作部入力手段による運転開始指示の中から選択するための選択手段を設けて、運転を開始する前から運転停止状態の運転開始条件を指定することを可能としている。
【００６６】
そのため、ユーザは、運転を開始する前から運転停止状態の運転開始条件を指定することができ、製造コストが上がることがなく、個々のユーザの使い方に合わせた洗濯機を提供することができる。
【００６７】
［第３の実施の形態］
第３の実施の形態にかかる全自動洗濯機の構成および機能は、第１の実施の形態にかかる全自動洗濯機の構成および機能と同様である。また、第３の実施の形態にかかる全自動洗濯機における処理は、第２の実施の形態にかかる全自動洗濯機における処理（図５）と同様である。
【００６８】
図６は、第３の実施の形態にかかる全自動洗濯機の操作部１１の入力キーのレイアウトの具体例を示す図である。
【００６９】
図６を参照して、本実施の形態にかかる全自動洗濯機の操作部１１の入力キーのレイアウトは、図３に示される第１の実施の形態にかかるレイアウトと同様であって、その表示部２５は、運転開始条件を表示する領域２５Ａをさらに含んで構成される。
【００７０】
本実施の形態にかかる全自動洗濯機においては、運転開始条件の決定処理において運転開始条件が「予約キー入力」と確定されると（ステップ＃２−３）、マイクロコンピュータ１５は、ステップ＃２−３において、表示部２５の運転開始条件を表示する領域２５Ａに「ＫＥＹ」を表示させ、以降の表示し続けるように制御する。
【００７１】
また、運転開始条件が「所定時間の経過」と確定されると（ステップ＃２−６）、マイクロコンピュータ１５は、ステップ＃２−６において、表示部２５の運転開始条件を表示する領域２５Ａに「ＴＩＭＥ」を表示させ、以降の表示し続けるように制御する。
【００７２】
また、運転開始条件が「予約キー入力あるいは所定時間の経過」と確定されると（ステップ＃２−５）、マイクロコンピュータ１５は、ステップ＃２−５において、表示部２５の運転開始条件を表示する領域２５Ａに「ＫＥＹ  ｏｒ  ＴＩＭＥ」を表示させ、以降の表示し続けるように制御する。
【００７３】
以上より、第３の実施の形態にかかる全自動洗濯機は、選択手段により選択された運転開始条件を表示する表示手段をさらに設けることにより、運転を開始する前から運転停止状態の運転開始条件を指定し、かつ表示手段により目視確認を可能としている。
【００７４】
そのため、ユーザは、運転を開始する前から運転停止状態の運転開始条件を指定し、かつ表示手段により目視確認することができ、製造コストが大幅に上がることがなく、またわかり易く、個々のユーザにあわせた洗濯機を提供することができる。
【００７５】
［第４の実施の形態］
第４の実施の形態にかかる全自動洗濯機の構成および操作部１１の入力キーのレイアウトは、第１の実施の形態にかかる全自動洗濯機の構成および操作部１１の入力キーのレイアウトと同様である。
【００７６】
図７は、第４の実施の形態にかかる全自動洗濯機の制御部８と、それによって駆動される各種機能とを示すブロック図である。
【００７７】
図７を参照して、第４の実施の形態にかかる全自動洗濯機の制御部８には、図２に示される第１の実施の形態にかかる全自動洗濯機の制御部８の構成に加えて、不揮発性メモリ８Ａが含まれる。
【００７８】
第４の実施の形態にかかるマイクロコンピュータ１５Ａは、Ｉ／Ｏポートを介して不揮発性メモリ８Ａと接続され、電源ＯＦＦ後も運転開始条件を記憶保持する。
【００７９】
図８のフローチャートを用いて、第４の実施の形態にかかる全自動洗濯機での処理について説明する。図８のフローチャートに示される処理は、制御部８に含まれるマイクロコンピュータ１５ＡがＲＯＭ１６に記憶されているプログラムに従って図７に示される各種機能を制御することによって実現される処理である。なお、図８のフローチャートに示される処理は、予約キー２６が押されることが運転開始の指示であり、第２の実施の形態と同様に、「予約キー入力」、「所定時間の経過」、または「予約キー入力あるいは所定時間の経過」が運転開始条件であるものとする。
【００８０】
図８を参照して、始めに、入力キー回路１７からの信号情報に基づいて、マイクロコンピュータ１５Ａにおいて予約キー２６と電源キー３１とが同時に押されたことが検出されることで電源がＯＮされる（ステップ＃４−１）。その直後、マイクロコンピュータ１５Ａは、入力キー回路１７からの信号情報に基づいて、運転開始条件を決定する処理を実行する。
【００８１】
運転開始条件を決定する処理として、始めに、マイクロコンピュータ１５Ａは、入力キー回路１７からの信号情報に基づいて、予約キー２６が電源がＯＮされる前から押されているかを判定する（ステップ＃４−２）。その結果、予約キー２６が電源がＯＮされる前から押されていると判定されると（ステップ＃４−２で「あり」）、マイクロコンピュータ１５Ａは、運転開始条件を「予約キー入力」に確定する（ステップ＃４−３）。
【００８２】
予約キー２６が電源がＯＮされる前から押されていると判定されない場合（ステップ＃４−２で「なし」）、次に、マイクロコンピュータ１５Ａは、入力キー回路１７からの信号情報に基づいて、洗いキー２７と電源キー３１とが電源がＯＮされる前から同時に押されているかを判定する（ステップ＃４−４）。その結果、洗いキー２７と電源キー３１とが電源がＯＮされる前から同時に押されている判定されると（ステップ＃４−４で「あり」）、マイクロコンピュータ１５Ａは、運転開始条件を「所定時間の経過」に確定する（ステップ＃４−５）。
【００８３】
洗いキー２７と電源キー３１とが電源がＯＮされる前から同時に押されていると判定されない場合（ステップ＃４−４で「なし」）、さらに、マイクロコンピュータ１５Ａは、入力キー回路１７からの信号情報に基づいて、すすぎキー２８と電源キー３１とが電源がＯＮされる前から同時に押されているかを判定する（ステップ＃４−６）。その結果、すすぎキー２８と電源キー３１とが電源がＯＮされる前から同時に押されている判定されると（ステップ＃４−６で「あり」）、マイクロコンピュータ１５Ａは、運転開始条件を「予約キー入力あるいは所定時間の経過」に確定する（ステップ＃４−７）。
【００８４】
電源がＯＮされた直後にマイクロコンピュータ１５Ａがいずれのキー入力も検知しなかった場合には（ステップ＃４−２〜＃４−６で「なし」）、マイクロコンピュータ１５Ａは、運転開始条件を、不揮発性メモリ８Ａから読出した運転開始条件に確定する（ステップ＃４−８）。
【００８５】
以上の運転開始条件の決定処理が行なわれ、ユーザが運転コースおよび各種設定を行なった後に図３に示されるスタートキー３２を押すことで、マイクロコンピュータ１５Ａは全自動洗濯機の運転を開始するよう制御し（ステップ＃４−９）、さらに上述の運転開始条件の決定処理で決定された運転開始条件を不揮発性メモリ８Ａに記憶する（ステップ＃４−１０）。
【００８６】
ステップ＃４−９で全自動洗濯機の運転が開始されると、洗濯兼脱水槽５内に収容された布量が検知され（ステップ＃４−１１）、洗濯に必要な水位および運転制御が確定（ステップ＃４−１２）された後に、処理状態が運転停止状態に移行される（ステップ＃４−１３）。この、ステップ＃４−１１〜＃４−１３の処理は、第１の実施の形態にかかる全自動洗濯機の処理（図４）におけるステップ＃１−２〜＃１−４の処理と同様である。
【００８７】
ステップ＃４−１３で運転停止状態に移行されると、マイクロコンピュータ１５Ａは、上述の運転開始条件の決定処理で決定された運転開始条件を判定する（ステップ＃４−１４）。その結果、運転開始条件の決定処理で決定された運転開始条件が「予約キー入力」である場合には（ステップ＃４−１４で「予約キー入力」）、処理をステップ＃４−１５に進める。
【００８８】
ステップ＃４−１５において、マイクロコンピュータ１５Ａは、入力キー回路１７からの信号情報に基づいて、運転開始条件とする予約キー２６が押されたか否かを判定し、その結果、予約キー２６が押されたことが検出されると（ステップ＃４−１５で「はい」）、マイクロコンピュータ１５Ａは処理状態を運転停止状態から運転状態に移行して給水等の制御を開始する（ステップ＃４−２２）。予約キー２６が押されたことが検出されない場合（ステップ＃４−１５で「いいえ」）、マイクロコンピュータ１５Ａは、予約キー２６が押されたことが検出されるまで運転停止状態を継続する。
【００８９】
運転開始条件の決定処理で決定された運転開始条件が「所定時間の経過」である場合には（ステップ＃４−１４で「所定時間の経過」）、処理をステップ＃４−１６に進める。
【００９０】
ステップ＃４−１６において、マイクロコンピュータ１５Ａは、運転開始条件である所定時間を計測するタイマのカウントをスタートさせる。そして、所定時間が経過したことが判定されると（ステップ＃４−１７で「はい」）、タイマをクリアし（ステップ＃４−１８）、処理状態を運転停止状態から運転状態に移行して給水等の制御を開始する（ステップ＃４−２２）。
【００９１】
運転開始条件の決定処理で決定された運転開始条件が「予約キー入力あるいは所定時間の経過」である場合には（ステップ＃４−１４で「予約キー入力あるいは所定時間の経過」）、処理をステップ＃４−１９に進める。
【００９２】
ステップ＃４−１９において、マイクロコンピュータ１５Ａは、所定時間を計測するタイマのカウントをスタートさせる。マイクロコンピュータ１５Ａは、タイマのカウント中に予約キー２６が押されたか否かを判定し（ステップ＃４−２０）、タイマのカウント中に予約キー２６が押されたことを検出すると（ステップ＃４−２０で「はい」）、タイマをクリアし（ステップ＃４−１８）、処理状態を運転停止状態から運転状態に移行して給水等の制御を開始する（ステップ＃４−２２）。
【００９３】
なお、タイマのカウント中に予約キー２６が押されたことを検出しない場合（ステップ＃４−２０で「いいえ」）、所定時間が経過したことが判定されると（ステップ＃４−２１で「はい」）、タイマをクリアし（ステップ＃４−１８）、処理状態を運転停止状態から運転状態に移行して給水等の制御を開始する（ステップ＃４−２２）。
【００９４】
以上より、第４の実施の形態にかかる全自動洗濯機は、選択手段により選択された運転開始条件を記憶する不揮発性の記憶部をさらに設けることにより、電源を切った場合でも運転停止状態からの運転開始条件を記憶させることを可能としている。
【００９５】
そのため、電源を切った場合でも運転停止状態からの運転開始条件を記憶させることができ、次回運転の時には同様の運転停止状態からの運転開始条件を操作部入力手段の操作なしに指定することができ、製造コストが大幅に上がることがなく、またわかり易く、操作性のよい、個々のユーザにあわせた洗濯機を提供することができる。
【００９６】
［第５の実施の形態］
第５の実施の形態にかかる全自動洗濯機の構成および機能は、第１の実施の形態にかかる全自動洗濯機の構成および機能と同様である。なお、本実施の形態においては、制御部８に含まれるマイクロコンピュータ１５は、状態検知回路１８から入力された検出信号とＲＯＭ１６に記憶保持された判定値とを比較することで、洗濯に必要な水位や運転制御と共に、洗濯に必要な洗剤量を確定し、制御信号を表示装置１９や負荷駆動回路２１等に出力する。
【００９７】
図９は、第５の実施の形態にかかる全自動洗濯機の操作部１１の入力キーのレイアウトの具体例を示す図である。
【００９８】
図９を参照して、本実施の形態にかかる全自動洗濯機の操作部１１の入力キーのレイアウトは、図３に示される第１の実施の形態にかかるレイアウトと同様であって、その表示部２５は、洗剤量を表示する領域２５Ｂをさらに含んで構成される。
【００９９】
図１０のフローチャートを用いて、第５の実施の形態にかかる全自動洗濯機での処理について説明する。図１０のフローチャートに示される処理もまた、制御部８に含まれるマイクロコンピュータ１５がＲＯＭ１６に記憶されているプログラムに従って図２に示される各種機能を制御することによって実現される処理であって、ユーザが運転コースおよび各種設定を行なった後、スタートキー３２を押すことで開始（ステップ＃５−１）される。なお、図１０のフローチャートに示される処理もまた、予約キー２６が押されることが運転開始の指示である処理であるものとする。
【０１００】
図１０を参照して、始めに、ステップ＃５−１で全自動洗濯機の運転が開始されると、制御部８の布量検出手段によって、洗濯兼脱水槽５内に収容された布量が検知され（ステップ＃５−２）、洗濯に必要な水位、運転制御、および洗剤量が確定される（ステップ＃５−３）。その後、マイクロコンピュータ１５は処理状態を運転停止状態に移行し（ステップ＃５−４）、ステップ＃５−３で確定された必要な洗剤量を表示部２５に表示する（ステップ５−５）。
【０１０１】
さらに、マイクロコンピュータ１５は、入力キー回路１７からの信号情報に基づいて、操作部１１のコースキー３０等が押されたか否かを判定し（ステップ＃５−６）、コースキー３０等が押されたことが検出されると（ステップ＃５−６で「あり」）、指示されたコース等各種設定と布量とから洗剤量を再設定し（ステップ＃５−７）、再度、洗剤量を表示部２５に表示する（ステップ＃５−５）。
【０１０２】
また、マイクロコンピュータ１５は、入力キー回路１７からの信号情報に基づいて、運転開始指示とする予約キー２６が押されたか否かを判定する（ステップ＃５−８）。予約キー２６が押されたことが検出されると（ステップ＃５−８で「はい」）、マイクロコンピュータ１５は処理状態を運転停止状態から運転状態に移行し、給水等の制御を開始する（ステップ＃５−９）。
【０１０３】
予約キー２６が押されたことが検出されない場合（ステップ＃５−８で「いいえ」）、マイクロコンピュータ１５は、予約キー２６が押されたことが検出されるまで運転停止状態を継続する。
【０１０４】
以上より、第５の実施の形態にかかる全自動洗濯機は、運転停止状態時には表示手段に洗剤量の表示を行ない、さらに操作部入力手段により運転内容を変更することを可能としている。つまり、操作部入力手段により変更した運転内容に連動して表示手段の洗剤量表示を変更することで、運転内容に応じた洗剤量の目視確認を可能としている。
【０１０５】
そのため、ユーザが運転開始後に運転内容の変更を行なった場合にも、変更された運転内容にあわせて洗剤量が再表示されるため、製造コストが上がることがなく、洗剤の無駄遣いのない、操作性のよい、個々のユーザにあわせた洗濯機を提供することができる。
【０１０６】
［第６の実施の形態］
第６の実施の形態にかかる全自動洗濯機の構成、機能、および操作部１１の入力キーのレイアウトは、第１の実施の形態にかかる全自動洗濯機の構成、機能、および操作部１１の入力キーのレイアウトと同様である。
【０１０７】
図１１のフローチャートを用いて、第６の実施の形態にかかる全自動洗濯機での処理について説明する。図１１のフローチャートに示される処理もまた、制御部８に含まれるマイクロコンピュータ１５がＲＯＭ１６に記憶されているプログラムに従って図２に示される各種機能を制御することによって実現される処理であって、ユーザが運転コースおよび各種設定を行なった後、図３に示されるスタートキー３２を押すことで開始（ステップ＃６−１）される。なお、図１１のフローチャートに示される処理は、予約キー２６が押されることが運転開始の指示であり、洗いキー２７とすすぎキー２８とが押されることが取消キーの入力であるものとする。
【０１０８】
図１１を参照して、始めに、ステップ＃６−１で全自動洗濯機の運転が開始されると、制御部８の布量検出手段によって、洗濯兼脱水槽５内に収容された布量が検知され（ステップ＃６−２）、洗濯に必要な水位および運転制御が確定される（ステップ＃６−３）。その後、マイクロコンピュータ１５は処理状態を運転停止状態に移行し（ステップ＃６−４）、入力キー回路１７からの信号情報に基づいて、上述の取消キーが押されたか否かを判定する（ステップ＃６−５）。
【０１０９】
運転停止状態において取消キーが押されたことが検出されると（ステップ＃６−５で「はい」）、マイクロコンピュータ１５は処理状態を運転停止状態から一時停止状態に移行し（ステップ＃６−６）、その状態でさらに取消キーが押されたか否かを判定する（ステップ＃６−７）。一時停止状態においてさらに取消キーが押されたことが検出されると（ステップ＃６−７で「はい」）、マイクロコンピュータ１５は処理状態を一時停止状態から運転停止状態に移行し、予約キー２６が押されたか否かを判別する（ステップ＃６−８）。ステップ＃６−７において取消キーが押されたことが検出されない場合には（ステップ＃６−７で「いいえ」）、マイクロコンピュータ１５は、取消キーが押されたことが検出されるまで一時停止状態を継続する。
【０１１０】
運転停止状態において運転開始指示とする予約キー２６が押されたことが検出されると、つまり、ステップ＃６−５において取消キーが押されたことが検出されず（ステップ＃６−５で「いいえ」）予約キー２６が押されたことが検出された場合（ステップ＃６−８で「はい」）、またはステップ＃６−７で処理状態が一時停止状態から運転停止状態に移行した後に予約キー２６が押されたことが検出された場合（ステップ＃６−８で「はい」）、マイクロコンピュータ１５は処理状態を運転停止状態から運転状態に移行し、給水等の制御を開始する（ステップ＃６−９）。
【０１１１】
予約キー２６が押されたことが検出されない場合（ステップ＃６−８で「いいえ」）、マイクロコンピュータ１５は、予約キー２６が押されたことが検出されるまで運転停止状態を継続する。
【０１１２】
以上より、第６の実施の形態にかかる全自動洗濯機は、運転停止状態を取消可能にする手段をさらに設けることにより、運転停止状態の解除を可能としている。
【０１１３】
そのため、ユーザは運転停止状態を解除することができ、製造コストが大幅に上がることがなく、より操作性のよい、個々のユーザにあわせた洗濯機を提供することができる。
【０１１４】
［第７の実施の形態］
第７の実施の形態にかかる全自動洗濯機の構成、機能、および操作部１１の入力キーのレイアウトは、第１の実施の形態にかかる全自動洗濯機の構成、機能、および操作部１１の入力キーのレイアウトと同様である。
【０１１５】
図１２のフローチャートを用いて、第７の実施の形態にかかる全自動洗濯機での処理について説明する。図１２のフローチャートに示される処理もまた、制御部８に含まれるマイクロコンピュータ１５がＲＯＭ１６に記憶されているプログラムに従って図２に示される各種機能を制御することによって実現される処理であって、ユーザが運転コースおよび各種設定を行なった後、図３に示されるスタートキー３２を押すことで開始（ステップ＃７−１）される。なお、図１２のフローチャートに示される処理は、スタートキー３２が３秒間押し続けられることが運転開始の指示であり、スタートキー３２を通常に押すことが取消キーの入力であるものとする。
【０１１６】
図１２を参照して、始めに、ステップ＃７−１で全自動洗濯機の運転が開始されると、制御部８の布量検出手段によって、洗濯兼脱水槽５内に収容された布量が検知され（ステップ＃７−２）、洗濯に必要な水位および運転制御が確定される（ステップ＃７−３）。その後、マイクロコンピュータ１５は処理状態を運転停止状態に移行し（ステップ＃７−４）、入力キー回路１７からの信号情報に基づいて、スタートキー３２が通常通り押されたか否かを判別する（ステップ＃７−５）。
【０１１７】
運転停止状態においてスタートキー３２が通常通り押されたことが検出されると（ステップ＃７−５で「はい」）、マイクロコンピュータ１５は処理状態を運転停止状態から一時停止状態に移行し（ステップ＃７−６）、その状態で再度スタートキー３２が通常通り押されたか否かを判定する（ステップ＃７−７）。一時停止状態においてさらにスタートキー３２が通常通り押されたことが検出されると（ステップ＃７−７で「はい」）、マイクロコンピュータ１５は処理状態を一時停止状態から運転停止状態に移行し、スタートキー３２が３秒間押し続けられたか否かを判別する（ステップ＃７−８）。ステップ＃７−７において再度スタートキー３２が押されたことが検出されない場合には（ステップ＃７−８で「いいえ」）、マイクロコンピュータ１５は、再度スタートキー３２が押されたことが検出されるまで一時停止状態を継続する。
【０１１８】
運転停止状態において運転開始指示とするスタートキー３２が３秒間押し続けられたことが検出されると、つまり、ステップ＃７−５においてスタートキー３２が通常通り押されたことが検出されず（ステップ＃７−５で「いいえ」）３秒間押し続けられたことが検出された場合（ステップ＃７−８で「はい」）、またはステップ＃７−７で処理状態が一時停止状態から運転停止状態に移行した後にスタートキー３２が３秒間押し続けられたことが検出された場合（ステップ＃７−８で「はい」）、マイクロコンピュータ１５は処理状態を運転停止状態から運転状態に移行し、給水等の制御を開始する（ステップ＃７−９）。
【０１１９】
スタートキー３２が３秒間押し続けられたことが検出されない場合（ステップ＃７−８で「いいえ」）、マイクロコンピュータ１５は、検出されるまで運転停止状態を継続する。
【０１２０】
以上より、第７の実施の形態にかかる全自動洗濯機においては、運転停止状態を取消す手段と運転停止状態における操作部入力手段とによる運転開始指示は、運転の開始または停止を指示するスタートキーとして機能し、新たなキー入力部を設けることなく、スタートキーの入力時間によりいずれの指示であるかを分別可能としている。
【０１２１】
そのため、製造コストが上がることがなく、操作性のよい、個々のユーザにあわせた洗濯機を提供することができる。
【０１２２】
［第８の実施の形態］
第８の実施の形態にかかる全自動洗濯機の構成、機能、および操作部１１の入力キーのレイアウトは、第１の実施の形態にかかる全自動洗濯機の構成、機能、および操作部１１の入力キーのレイアウトと同様である。なお、本実施の形態においては、制御部８に含まれる負荷駆動回路２１は、Ｉ／Ｏポートを介してマイクロコンピュータ１５から制御信号を受取り、該制御信号にしたがって、フタ２のドアロックを駆動してフタ２を施錠・開錠する。
【０１２３】
図１３のフローチャートを用いて、第８の実施の形態にかかる全自動洗濯機での処理について説明する。図１３のフローチャートに示される処理もまた、制御部８に含まれるマイクロコンピュータ１５がＲＯＭ１６に記憶されているプログラムに従って図２に示される各種機能を制御することによって実現される処理であって、ユーザが運転コースおよび各種設定を行なった後、図３に示されるスタートキー３２を押すことで開始（ステップ＃８−１）される。なお、図１３のフローチャートに示される処理は、予約キー２６が押されることが運転開始の指示であるものとする。
【０１２４】
図１３を参照して、始めに、ステップ＃８−１で全自動洗濯機の運転が開始されると、制御部８の布量検出手段によって、洗濯兼脱水槽５内に収容された布量が検知され（ステップ＃８−２）、洗濯に必要な水位および運転制御が確定される（ステップ＃８−３）。
【０１２５】
その後、マイクロコンピュータ１５は処理状態を運転停止状態に移行し（ステップ＃８−４）、入力キー回路１７からの信号情報に基づいて、運転開始指示とする予約キー２６が押されたか否かを判定する（ステップ＃８−５）。
【０１２６】
運転停止状態において予約キー２６が押されたことが検出されると（ステップ＃７−５で「はい」）、マイクロコンピュータ１５はドアロックを行なうよう制御し（ステップ＃８−６）、運転状態に移行して給水等の制御を開始する（ステップ＃８−７）。
【０１２７】
運転停止状態において予約キー２６が押されたことが検出されない場合（ステップ＃７−５で「いいえ」）、マイクロコンピュータ１５は、状態検知回路１８から入力された検出信号とＲＯＭ１６に記憶保持された判定値とを比較することで、現在、ドアロックの解除が可能か否かを判定する（ステップ＃８−８）。ドアロックの解除が可能な状態とは、たとえば駆動用モータ１０が停止している状態等、ユーザにとって危険のない状態のことをいう。以降の実施の形態においても同様である。
【０１２８】
ドアロックの解除が可能であると判定されると（ステップ＃８−８で「はい」）、マイクロコンピュータ１５はドアロックを解除するよう制御し（ステップ＃８−９）、ドア２の開放を可能とする。
【０１２９】
ドアロックの解除が可能でないと判定されると（ステップ＃８−８で「いいえ」）、マイクロコンピュータ１５は、ドアロックの解除が可能となるまで、またはステップ＃８−５で予約キー２６が押されたことが検出されるまで、運転停止状態を継続する。
【０１３０】
以上より、第８の実施の形態にかかる全自動洗濯機は、さらに運転停止状態においてドア開放を可能としている。
【０１３１】
そのため、ユーザは、運転停止状態でドアを開放することができ、衣類の途中追加等が可能となって、製造コストが上がることがなく、使い勝手のよい洗濯機を提供することができる。
【０１３２】
［第９の実施の形態］
第９の実施の形態にかかる全自動洗濯機の構成、機能、および操作部１１の入力キーのレイアウトは、第１の実施の形態にかかる全自動洗濯機の構成、機能、および操作部１１の入力キーのレイアウトと同様である。なお、本実施の形態においても、制御部８に含まれる負荷駆動回路２１は、Ｉ／Ｏポートを介してマイクロコンピュータ１５から制御信号を受取り、該制御信号にしたがって、フタ２のドアロックを駆動してフタ２を施錠・開錠する。また、状態検知回路１８は、フタ２のドアロックの施錠・開錠状態を検出するセンサをさらに含んで構成される。
【０１３３】
図１４のフローチャートを用いて、第９の実施の形態にかかる全自動洗濯機での処理について説明する。図１４のフローチャートに示される処理もまた、制御部８に含まれるマイクロコンピュータ１５がＲＯＭ１６に記憶されているプログラムに従って図２に示される各種機能を制御することによって実現される処理であって、ユーザが運転コースおよび各種設定を行なった後、スタートキー３２を押すことで開始（ステップ＃９−１）される。なお、図１４のフローチャートに示される処理は、予約キー２６が押されることが運転開始の指示であり、第２の実施の形態と同様に、「予約キー入力」、「所定時間の経過」、または「予約キー入力あるいは所定時間の経過」が運転開始条件であるものとする。
【０１３４】
図１４を参照して、始めに、ステップ＃９−１で全自動洗濯機の運転が開始されると、制御部８の布量検出手段によって、洗濯兼脱水槽５内に収容された布量が検知され（ステップ＃９−２）、洗濯に必要な水位および運転制御が確定される（ステップ＃９−３）。
【０１３５】
その後、マイクロコンピュータ１５は処理状態を運転停止状態に移行し（ステップ＃９−４）、運転開始条件の１つである所定時間を計測するタイマのカウントをスタートさせて（ステップ＃９−５）、所定の運転開始条件が満たされるまで待機する（ステップ＃９−６）。
【０１３６】
所定の運転開始条件が満たされていることが検出されると（ステップ＃９−６で「はい」）、マイクロコンピュータ１５はドアロックを行なうよう制御し（ステップ＃９−７）、ステップ＃９−５でカウントをスタートさせたタイマをクリアした後に（ステップ＃９−８）運転状態に移行して、給水等の制御を開始する（ステップ＃９−９）。
【０１３７】
所定の運転開始条件が満たされない間（ステップ＃９−６で「いいえ」）、マイクロコンピュータ１５は、状態検知回路１８から入力された検出信号とＲＯＭ１６に記憶保持された判定値とを比較することで、現在、ドアロックの解除が可能か否かを判定する（ステップ＃９−１０）。ドアロックの解除が可能であると判定されると（ステップ＃９−１０で「はい」）、マイクロコンピュータ１５はドアロックを解除するよう制御し（ステップ＃９−１１）、ドア２の開放を可能とする。
【０１３８】
ドアロックの解除が可能でないと判定されると（ステップ＃９−１０で「いいえ」）、マイクロコンピュータ１５は、ドアロックの解除が可能となるまで、またはステップ＃９−６で所定の運転開始条件が満たされたことが検出されるまで、運転停止状態を継続する。
【０１３９】
ステップ＃９−１１でドアロックを解除するよう制御した後、マイクロコンピュータ１５は、状態検知回路１８から入力される検出信号に基づいて、ドア２が開放されたか否かを判定する（ステップ＃９−１２）。
【０１４０】
ドア２が開放されたことが検出された場合には（ステップ＃９−１２で「はい」）、マイクロコンピュータ１５はステップ＃９−５でカウントをスタートさせたタイマを停止させ（ステップ＃９−１３）、この後に運転開始の指示として入力された予約キー２６が検出された場合に、その入力を無効とするよう制御する（ステップ＃９−１４）。ドア２が開放されたことが検出されない場合には（ステップ＃９−１２で「いいえ」）、マイクロコンピュータ１５はステップ＃９−４での運転停止状態を継続する。
【０１４１】
次に、マイクロコンピュータ１５は、状態検知回路１８から入力される検出信号に基づいて、ステップ＃９−１２で開放されたことが検出されたドア２がその後閉じられたか否かを判定する（ステップ＃９−１５）。
【０１４２】
ドア２がその後閉じられたことが検出された場合には（ステップ＃９−１５で「はい」）、マイクロコンピュータ１５は、タイマのカウントを再スタートさせ（ステップ＃９−１６）、この後に運転開始の指示として入力された予約キー２６が検出された場合に、その入力を有効とするよう制御して（ステップ＃９−１７）、処理状態を運転停止状態に移行する（ステップ＃９−６）。ドア２がその後閉じられたことが検出されない場合には（ステップ＃９−１５で「いいえ」）、マイクロコンピュータ１５は、ステップ＃９−１３でのタイマの停止と、ステップ＃９−１４での予約キー２６の入力を無効とする制御とを継続する。
【０１４３】
以上より、第９の実施の形態にかかる全自動洗濯機は、運転停止状態にてドアの開放を検出した場合には、運転停止状態移行より所定時間の経過を検知する検知手段を停止し、さらに操作部入力手段による運転開始指示を無効とすることにより、ドアが開放されている時には前記運転停止状態から運転状態への移行を停止させることができる。
【０１４４】
そのため、ドアが開放されている時には運転停止状態から運転状態への移行を停止させることができるため、製造コストが上がることがなく、ドアの開放中に運転状態に移行することのない、安全で、使い勝手のよい洗濯機を提供することができる。
【０１４５】
［第１０の実施の形態］
第１０の実施の形態にかかる全自動洗濯機の構成、機能、および操作部１１の入力キーのレイアウトは、第１の実施の形態にかかる全自動洗濯機の構成、機能、および操作部１１の入力キーのレイアウトと同様である。なお、本実施の形態においても、制御部８に含まれる負荷駆動回路２１は、Ｉ／Ｏポートを介してマイクロコンピュータ１５から制御信号を受取り、該制御信号にしたがって、フタ２のドアロックを駆動してフタ２を施錠・開錠する。また、状態検知回路１８は、フタ２のドアロックの施錠・開錠状態を検出するセンサをさらに含んで構成される。
【０１４６】
図１５のフローチャートを用いて、第１０の実施の形態にかかる全自動洗濯機での処理について説明する。図１５のフローチャートに示される処理もまた、制御部８に含まれるマイクロコンピュータ１５がＲＯＭ１６に記憶されているプログラムに従って図２に示される各種機能を制御することによって実現される処理であって、ユーザが運転コースおよび各種設定を行なった後、スタートキー３２を押すことで開始（ステップ＃１０−１）される。なお、図１５のフローチャートに示される処理は、予約キー２６が押されることが運転開始の指示であり、第２の実施の形態と同様に、「予約キー入力」、「所定時間の経過」、または「予約キー入力あるいは所定時間の経過」が運転開始条件であるものとする。
【０１４７】
図１５を参照して、始めに、ステップ＃１０−１で全自動洗濯機の運転が開始されると、制御部８の布量検出手段によって、洗濯兼脱水槽５内に収容された布量が検知され（ステップ＃１０−２）、洗濯に必要な水位および運転制御が確定される（ステップ＃１０−３）。
【０１４８】
その後、マイクロコンピュータ１５は処理状態を運転停止状態に移行し（ステップ＃１０−４）、運転開始条件の１つである所定時間を計測するタイマのカウントをスタートさせて（ステップ＃１０−５）、所定の運転開始条件が満たされているまで待機する（ステップ＃１０−６）。
【０１４９】
所定の運転開始条件が満たされていることが検出されると（ステップ＃１０−６で「はい」）、マイクロコンピュータ１５はドアロックを行なうよう制御し（ステップ＃１０−７）、ステップ＃１０−５でカウントをスタートさせたタイマをクリアした後に（ステップ＃１０−８）運転状態に移行して、給水等の制御を開始する（ステップ＃１０−９）。
【０１５０】
所定の運転開始条件が満たされない間（ステップ＃１０−６で「いいえ」）、マイクロコンピュータ１５は、状態検知回路１８から入力された検出信号とＲＯＭ１６に記憶保持された判定値とを比較することで、現在、ドアロックの解除が可能か否かを判定する（ステップ＃１０−１０）。ドアロックの解除が可能であると判定されると（ステップ＃１０−１０で「はい」）、マイクロコンピュータ１５はドアロックを解除するよう制御し（ステップ＃１０−１１）、ドア２の開放を可能とする。
【０１５１】
ドアロックの解除が可能でないと判定されると（ステップ＃１０−１０で「いいえ」）、マイクロコンピュータ１５は、ドアロックの解除が可能となるまで、またはステップ＃１０−６で所定の運転開始条件が満たされたことが検出されるまで、運転停止状態を継続する。
【０１５２】
ステップ＃１０−１１でドアロックを解除するよう制御した後、マイクロコンピュータ１５は、状態検知回路１８から入力される検出信号に基づいて、ドア２が開放されたか否かを判定する（ステップ＃１０−１２）。
【０１５３】
ドア２が開放されたことが検出された場合には（ステップ＃１０−１２で「はい」）、マイクロコンピュータ１５はステップ＃１０−５でカウントをスタートさせたタイマを停止させ（ステップ＃１０−１３）、この後に運転開始の指示として入力された予約キー２６が検出された場合に、その入力を無効とするよう制御する（ステップ＃１０−１４）。ドア２が開放されたことが検出されない場合には（ステップ＃１０−１２で「いいえ」）、マイクロコンピュータ１５はステップ＃１０−４での運転停止状態を継続する。
【０１５４】
次に、マイクロコンピュータ１５は、状態検知回路１８から入力される検出信号に基づいて、ステップ＃１０−１２で開放されたことが検出されたドア２がその後閉じられたか否かを判定する（ステップ＃１０−１５）。
【０１５５】
ドア２がその後閉じられたことが検出された場合には（ステップ＃１０−１５で「はい」）、マイクロコンピュータ１５はドアロックを行なうよう制御し（ステップ＃１０−７）、ステップ＃１０−５でカウントをスタートさせたタイマをクリアした後に（ステップ＃１０−８）運転状態に移行して、給水等の制御を開始する（ステップ＃１０−９）。
【０１５６】
以上より、第１０の実施の形態にかかる全自動洗濯機は、運転停止状態においてドアが開いた状態から閉じた状態に移行した場合には運転状態に移行することにより、新たに操作部入力手段等からの操作を行なうことなく運転状態に移行させることができる。
【０１５７】
そのため、ユーザは新たに操作部入力手段等からの操作を行なうことなく運転状態に移行させることができ、製造コストが上がることがなく、安全で手間のかからない洗濯機を提供することができる。
【０１５８】
［第１１の実施の形態］
第１１の実施の形態にかかる全自動洗濯機の構成、機能、および操作部１１の入力キーのレイアウトは、第１の実施の形態にかかる全自動洗濯機の構成、機能、および操作部１１の入力キーのレイアウトと同様である。なお、本実施の形態においても、制御部８に含まれる負荷駆動回路２１は、Ｉ／Ｏポートを介してマイクロコンピュータ１５から制御信号を受取り、該制御信号にしたがって、フタ２のドアロックを駆動してフタ２を施錠・開錠する。また、状態検知回路１８は、フタ２のドアロックの施錠・開錠状態を検出するセンサをさらに含んで構成される。
【０１５９】
図１６のフローチャートを用いて、第１１の実施の形態にかかる全自動洗濯機での処理について説明する。図１６のフローチャートに示される処理もまた、制御部８に含まれるマイクロコンピュータ１５がＲＯＭ１６に記憶されているプログラムに従って図２に示される各種機能を制御することによって実現される処理であって、ユーザが運転コースおよび各種設定を行なった後、スタートキー３２を押すことで開始（ステップ＃１１−１）される。なお、図１６のフローチャートに示される処理は、予約キー２６が押されることが運転開始の指示であり、第２の実施の形態と同様に、「予約キー入力」、「所定時間の経過」、または「予約キー入力あるいは所定時間の経過」が運転開始条件であるものとする。
【０１６０】
図１５を参照して、始めに、ステップ＃１１−１で全自動洗濯機の運転が開始されると、制御部８の布量検出手段によって、洗濯兼脱水槽５内に収容された布量が検知され（ステップ＃１１−２）、洗濯に必要な水位および運転制御が確定される（ステップ＃１１−３）。
【０１６１】
その後、マイクロコンピュータ１５は処理状態を運転停止状態に移行し（ステップ＃１１−４）、運転開始条件の１つである所定時間を計測するタイマのカウントをスタートさせて（ステップ＃１１−５）、所定の運転開始条件が満たされるまで待機する（ステップ＃１１−６）。
【０１６２】
所定の運転開始条件が満たされていることが検出されると（ステップ＃１１−６で「はい」）、マイクロコンピュータ１５はドアロックを行なうよう制御し（ステップ＃１１−７）、ステップ＃１１−５でカウントをスタートさせたタイマをクリアした後に（ステップ＃１１−８）運転状態に移行して、給水等の制御を開始する（ステップ＃１１−９）。
【０１６３】
所定の運転開始条件が満たされない間（ステップ＃１１−６で「いいえ」）、マイクロコンピュータ１５は、状態検知回路１８から入力された検出信号とＲＯＭ１６に記憶保持された判定値とを比較することで、現在、ドアロックの解除が可能か否かを判定する（ステップ＃１１−１０）。ドアロックの解除が可能であると判定されると（ステップ＃１１−１０で「はい」）、マイクロコンピュータ１５はドアロックを解除するよう制御し（ステップ＃１１−１１）、ドア２の開放を可能とする。
【０１６４】
ドアロックの解除が可能でないと判定されると（ステップ＃１１−１０で「いいえ」）、マイクロコンピュータ１５は、ドアロックの解除が可能となるまで、またはステップ＃１１−６で所定の運転開始条件が満たされたことが検出されるまで、運転停止状態を継続する。
【０１６５】
ステップ＃１１−１１でドアロックを解除するよう制御した後、マイクロコンピュータ１５は、状態検知回路１８から入力される検出信号に基づいて、ドア２が開放されたか否かを判定する（ステップ＃１１−１２）。
【０１６６】
ドア２が開放されたことが検出された場合には（ステップ＃１１−１２で「はい」）、マイクロコンピュータ１５はステップ＃１１−５でカウントをスタートさせたタイマを停止させ（ステップ＃１１−１３）、この後に運転開始の指示として入力された予約キー２６が検出された場合に、その入力を無効とするよう制御する（ステップ＃１１−１４）。ドア２が開放されたことが検出されない場合には（ステップ＃１１−１２で「いいえ」）、マイクロコンピュータ１５はステップ＃１１−４での運転停止状態を継続する。
【０１６７】
次に、マイクロコンピュータ１５は、状態検知回路１８から入力される検出信号に基づいて、ステップ＃１１−１２で開放されたことが検出されたドア２がその後閉じられたか否かを判定する（ステップ＃１１−１５）。
【０１６８】
ドア２がその後閉じられたことが検出された場合には（ステップ＃１１−１５で「はい」）、マイクロコンピュータ１５は、ステップ＃１１−５でカウントをスタートさせたタイマをクリアした後に（ステップ＃１１−１６）、この後に運転開始の指示として入力された予約キー２６が検出された場合に、その入力を有効とするよう制御して（ステップ＃１１−１７）、処理状態を運転停止状態から運転状態に移行し、ステップ＃１１−２に戻す。ドア２がその後閉じられたことが検出されない場合には（ステップ＃１１−１５で「いいえ」）、マイクロコンピュータ１５は、ステップ＃１１−１３でのタイマの停止と、ステップ＃１１−１４での予約キー２６の入力を無効とする制御とを継続する。
【０１６９】
以上より、第１１の実施の形態にかかる全自動洗濯機は、運転状態に移行後、再度布量検知判定を行なうことにより、ドアが開閉された後でも布量の再検知を行なうことができる。
【０１７０】
そのため、ユーザが衣類の追加等を行なった後でも布量の再判定を行なうことができるため、適切な量の洗剤を使用することができ、製造コストが上がることがなく、洗剤の無駄遣いのない、安全で、より使い勝手のよい洗濯機を提供することができる。
【０１７１】
［第１２の実施の形態］
第１２の実施の形態にかかる全自動洗濯機の構成、機能、および操作部１１の入力キーのレイアウトは、第１の実施の形態にかかる全自動洗濯機の構成、機能、および操作部１１の入力キーのレイアウトと同様である。なお、本実施の形態においても、制御部８に含まれる負荷駆動回路２１は、Ｉ／Ｏポートを介してマイクロコンピュータ１５から制御信号を受取り、該制御信号にしたがって、フタ２のドアロックを駆動してフタ２を施錠・開錠する。また、状態検知回路１８は、フタ２のドアロックの施錠・開錠状態を検出するセンサをさらに含んで構成される。
【０１７２】
図１７のフローチャートを用いて、第１２の実施の形態にかかる全自動洗濯機での処理について説明する。図１７のフローチャートに示される処理もまた、制御部８に含まれるマイクロコンピュータ１５がＲＯＭ１６に記憶されているプログラムに従って図２に示される各種機能を制御することによって実現される処理である。なお、図１７のフローチャートに示される処理は、予約キー２６が押されることが運転開始の指示であり、第２の実施の形態と同様に、「予約キー入力」、「所定時間の経過」、または「予約キー入力あるいは所定時間の経過」が運転開始条件であるものとする。
【０１７３】
図１７を参照して、始めに、入力キー回路１７からの信号情報に基づいて、マイクロコンピュータ１５においてコースキー３０と電源キー３１とが同時に押されたことが検出されることで電源がＯＮされる（ステップ＃１２−１）。その直後、マイクロコンピュータ１５は、入力キー回路１７からの信号情報に基づいて、布量検知の有無を決定する処理を実行する。
【０１７４】
布量検知の有無を決定する処理として、始めに、マイクロコンピュータ１５は、入力キー回路１７からの信号情報に基づいて、コースキー３０が電源がＯＮされる前から押されているかを判定する（ステップ＃１２−２）。その結果、コースキー３０が電源がＯＮされる前から押されていると判定されると（ステップ＃１２−２で「あり」）、マイクロコンピュータ１５は、ドア２開閉後の運転状態初期に布量検知を行なうことを確定する（ステップ＃１２−３）。
【０１７５】
コースキー３０が電源がＯＮされる前から押されていると判定されない場合（ステップ＃１２−２で「なし」）、マイクロコンピュータ１５は、ドア２開閉後の運転状態初期に布量検知を行なわないことを確定する（ステップ＃１２−４）。
【０１７６】
以上の布量検知の有無を決定する処理が行なわれ、ユーザが運転コースおよび各種設定を行なった後にスタートキー３２を押すことで、マイクロコンピュータ１５は全自動洗濯機の運転を開始するよう制御する（ステップ＃１２−５）。
【０１７７】
ステップ＃１２−５で全自動洗濯機の運転が開始されると、制御部８の布量検出手段によって、洗濯兼脱水槽５内に収容された布量が検知され（ステップ＃１２−６）、洗濯に必要な水位および運転制御が確定される（ステップ＃１２−７）。
【０１７８】
その後、マイクロコンピュータ１５は処理状態を運転停止状態に移行し（ステップ＃１２−８）、運転開始条件の１つである所定時間を計測するタイマのカウントをスタートさせて（ステップ＃１２−９）、所定の運転開始条件が満たされるまで待機する（ステップ＃１２−１０）。
【０１７９】
所定の運転開始条件が満たされていることが検出されると（ステップ＃１２−１０で「はい」）、マイクロコンピュータ１５はドアロックを行なうよう制御し（ステップ＃１２−１１）、ステップ＃１２−９でカウントをスタートさせたタイマをクリアする（ステップ＃１２−１２）。
【０１８０】
ステップ＃１２−１２でタイマをクリアした後、マイクロコンピュータ１５は、布量検知の有無を判定する（ステップ＃１２−１３）。その結果、ドア２の開閉は行なわれておらず、ドア２開閉後の運転状態初期に該当しないため、布量検知は行なわないものと判定し（ステップ＃１２−１３で「いいえ」）、処理状態を運転停止状態から運転状態に移行して給水等の制御を開始する（ステップ＃１２−１４）。
【０１８１】
所定の運転開始条件が満たされていない間（ステップ＃１２−１０で「いいえ」）、マイクロコンピュータ１５は、状態検知回路１８から入力された検出信号とＲＯＭ１６に記憶保持された判定値とを比較することで、現在、ドアロックの解除が可能か否かを判定する（ステップ＃１２−１５）。ドアロックの解除が可能であると判定されると（ステップ＃１２−１５で「はい」）、マイクロコンピュータ１５はドアロックを解除するよう制御し（ステップ＃１２−１６）、ドア２の開放を可能とする。
【０１８２】
ドアロックの解除が可能でないと判定されると（ステップ＃１２−１５で「いいえ」）、マイクロコンピュータ１５は、ドアロックの解除が可能となるまで、またはステップ＃１２−１０で所定の運転開始条件が満たされたことが検出されるまで、運転停止状態を継続する。
【０１８３】
ステップ＃１２−１６でドアロックを解除するよう制御した後、マイクロコンピュータ１５は、状態検知回路１８から入力される検出信号に基づいて、ドア２が開放されたか否かを判定する（ステップ＃１２−１７）。
【０１８４】
ドア２が開放されたことが検出された場合には（ステップ＃１２−１７で「はい」）、マイクロコンピュータ１５はステップ＃１２−９でカウントをスタートさせたタイマを停止させ（ステップ＃１２−１８）、この後に運転開始の指示として入力された予約キー２６が検出された場合に、その入力を無効とするよう制御する（ステップ＃１２−１９）。ドア２が開放されたことが検出されない場合には（ステップ＃１２−１７で「いいえ」）、マイクロコンピュータ１５はステップ＃１２−８での運転停止状態を継続する。
【０１８５】
次に、マイクロコンピュータ１５は、状態検知回路１８から入力される検出信号に基づいて、ステップ＃１２−１７で開放されたことが検出されたドア２がその後閉じられたか否かを判定する（ステップ＃１２−２０）。
【０１８６】
ドア２がその後閉じられたことが検出された場合には（ステップ＃１２−２０で「はい」）、マイクロコンピュータ１５は、この後に運転開始の指示として入力された予約キー２６が検出された場合に、その入力を有効とするよう制御して（ステップ＃１２−２１）、ドアロックを行なうよう制御し（ステップ＃１２−１１）、ステップ＃１２−９でカウントをスタートさせたタイマをクリアする（ステップ＃１２−１２）。ドア２がその後閉じられたことが検出されない場合には（ステップ＃１２−２０で「いいえ」）、マイクロコンピュータ１５は、ステップ＃１２−１８でのタイマの停止と、ステップ＃１２−１９での予約キー２６の入力を無効とする制御とを継続する。
【０１８７】
ステップ＃１２−１２でタイマをクリアした後、マイクロコンピュータ１５は、布量検知の有無を判定する（ステップ＃１２−１３）。その結果、上述の布量検知の有無の決定処理で布量の検知を行なうことが確定されている場合には（ステップ＃１２−１３で「はい」）、ステップ＃１２−１７およびステップ＃１２−２０でドア２の開閉が検知された運転初期状態であるので、処理をステップ＃１２−６に戻し、布量の検知を再度行なう。
【０１８８】
上述の布量検知の有無の決定処理で布量の検知を行なわないことが確定されている場合には（ステップ＃１２−１３で「いいえ」）、処理状態を運転停止状態から運転状態に移行して給水等の制御を開始する（ステップ＃１２−１４）。
【０１８９】
以上より、第１２の実施の形態にかかる全自動洗濯機は、運転停止状態においてドアが開いた状態から閉じた状態への移行後、運転状態へ移行し、再度布量検知判定を行なうか否かを選択可能とする手段をさらに設けることにより、衣類の量を再度計り直すか否かの選択を可能としている。
【０１９０】
そのため、ユーザは、衣類の量を再度計り直すことができ、製造コストが大幅に上がることなく、安全で、より使い勝手のよい、個々のユーザにあわせた洗濯機を提供することができる。
【０１９１】
［第１３の実施の形態］
第１３の実施の形態にかかる全自動洗濯機の構成、機能、および操作部１１の入力キーのレイアウトは、第１の実施の形態にかかる全自動洗濯機の構成、機能、および操作部１１の入力キーのレイアウトと同様である。
【０１９２】
図１８のフローチャートを用いて、第１３の実施の形態にかかる全自動洗濯機での処理について説明する。図１８のフローチャートに示される処理もまた、制御部８に含まれるマイクロコンピュータ１５がＲＯＭ１６に記憶されているプログラムに従って図２に示される各種機能を制御することによって実現される処理であって、ユーザが運転コースおよび各種設定を行なった後、スタートキー３２を押すことで、運転終了時間が指定可能な予約時間が設定された予約運転が開始（ステップ＃１３−１）される。なお、図１８のフローチャートに示される処理は、予約キー２６が押されることが運転開始の指示であり、第２の実施の形態と同様に、「予約キー入力」、「所定時間の経過」、または「予約キー入力あるいは所定時間の経過」が運転開始条件であるものとし、さらに、以降の説明においては、その中から「予約キー入力」が運転開始条件としてすでに確定されているものとする。
【０１９３】
図１８を参照して、始めに、ステップ＃１３−１で全自動洗濯機の予約運転が開始されると、この後に運転開始の指示として入力された予約キー２６が検出された場合に、その入力を無効とするよう制御し（ステップ＃１３−２）、「予約キー入力」に確定されている運転開始条件を「所定時間（たとえば１分）の経過」に変更する。
【０１９４】
次に、制御部８の布量検出手段によって、洗濯兼脱水槽５内に収容された布量が検知され（ステップ＃１３−３）、洗濯に必要な水位および運転制御が確定される（ステップ＃１３−４）。
【０１９５】
その後、マイクロコンピュータ１５は処理状態を運転停止状態に移行し（ステップ＃１３−５）、所定時間を計測するタイマのカウントをスタートさせて（ステップ＃１３−６）、運転開始条件である所定時間が経過するまで待機する（ステップ＃１３−７）。
【０１９６】
運転開始条件である所定時間が経過したことが判別されると（ステップ＃１３−７で「はい」）、マイクロコンピュータ１５は、ステップ＃１３−６でカウントをスタートさせたタイマをクリアし（ステップ＃１３−８）、予約運転待機状態に移行する（ステップ＃１３−９）。
【０１９７】
以上より、第１３の実施の形態にかかる全自動洗濯機は、運転終了時間を指定できる予約時間が設定された予約運転が開始された場合に、運転初期の布量検知判定後に運転停止状態に移行し、運転停止状態時には操作部入力手段による運転開始指示を無効とし、運転停止状態移行より所定時間の経過を検知する検知手段の時間経過検出による運転開始指示により予約運転待機状態に移行することにより、予約運転開始時に操作部入力手段による運転開始指示が選択されていた場合にでも運転停止状態移行より所定時間の経過を検知する検知手段の時間経過検出による運転開始指示により予約運転待機状態に移行させることができる。
【０１９８】
そのため、ユーザが予約運転開始時に操作部入力手段による運転開始指示を選択していた場合にでも、運転停止状態移行より所定時間の経過を検知する検知手段の時間経過検出による運転開始指示により、予約運転待機状態に移行させることができるため、操作部入力手段による運転開始指示をユーザが忘れ、運転開始が行なわれないケースをなくすことができ、製造コストが上がることなく、安全で、より操作性のよい、個々のユーザにあわせた洗濯機を提供することができる。
【０１９９】
［第１４の実施の形態］
第１４の実施の形態にかかる全自動洗濯機の構成、機能、および操作部１１の入力キーのレイアウトは、第１の実施の形態にかかる全自動洗濯機の構成、機能、および操作部１１の入力キーのレイアウトと同様である。
【０２００】
図１９のフローチャートを用いて、第１４の実施の形態にかかる全自動洗濯機での処理について説明する。図１９のフローチャートに示される処理もまた、制御部８に含まれるマイクロコンピュータ１５がＲＯＭ１６に記憶されているプログラムに従って図２に示される各種機能を制御することによって実現される処理であって、ユーザが運転コースおよび各種設定を行なった後、スタートキー３２を押すことで予約運転が開始（ステップ＃１４−１）される。なお、図１９のフローチャートに示される処理は、予約キー２６が押されることが運転開始の指示であり、第２の実施の形態と同様に、「予約キー入力」、「所定時間の経過」、または「予約キー入力あるいは所定時間の経過」が運転開始条件であるものとし、さらに、以降の説明においては、その中から「所定時間（たとえば１分）の経過」が運転開始条件としてすでに確定されているものとする。
【０２０１】
図１８を参照して、始めに、ステップ＃１４−１で全自動洗濯機の予約運転が開始されると、制御部８の布量検出手段によって、洗濯兼脱水槽５内に収容された布量が検知され（ステップ＃１４−２）、洗濯に必要な水位および運転制御が確定される（ステップ＃１４−３）。
【０２０２】
次に、マイクロコンピュータ１５は、運転時間と予約時間とを比較し（ステップ＃１４−４）、運転時間が予約時間よりも長い場合には（ステップ＃１４−４で「はい」）、この後に運転開始の指示として入力された予約キー２６が検出された場合に、その入力を無効とするよう制御した後に（ステップ＃１４−５）、「所定時間の経過」に確定されている運転開始条件を「予約キー入力あるいは所定時間の経過」に変更する。
【０２０３】
その後、処理状態を運転停止状態に移行し（ステップ＃１４−６）、運転開始条件である所定時間を計測するタイマのカウントをスタートさせて（ステップ＃１４−７）、運転開始条件である「予約キー入力あるいは所定時間の経過」が満たされるまで待機する（ステップ＃１４−８）。
【０２０４】
運転開始条件である「予約キー入力あるいは所定時間の経過」が満たされていることが検出されると（ステップ＃１４−８で「はい」）、マイクロコンピュータ１５はステップ＃１４−７でカウントをスタートさせたタイマをクリアし（ステップ＃１４−９）、処理状態を運転停止状態から運転状態に移行して給水等の制御を開始する（ステップ＃１４−１０）。つまり、運転時間が予約時間よりも長い場合には、運転開始条件を満たした後は、処理を予約運転状態ではなく運転状態に移行させる。
【０２０５】
一方、予約時間が運転時間よりも長い場合には（ステップ＃１４−４で「いいえ」）、処理状態を運転停止状態に移行し（ステップ＃１４−１１）、運転開始条件である所定時間を計測するタイマのカウントをスタートさせて（ステップ＃１４−１２）、運転開始条件である所定時間が経過するまで待機する（ステップ＃１４−１３）。
【０２０６】
運転開始条件である所定時間が経過したことが判別されると（ステップ＃１４−１３で「はい」）、マイクロコンピュータ１５は、ステップ＃１４−１２でカウントをスタートさせたタイマをクリアし（ステップ＃１４−１４）、予約運転待機状態に移行する（ステップ＃１４−１５）。
【０２０７】
以上より、第１４の実施の形態にかかる全自動洗濯機は、さらに、予約時間が運転時間より短い場合には、洗濯運転初期の布量検知判定後に運転停止状態に移行し、運転停止状態移行より所定時間の経過を検知する検知手段の時間経過検出による運転開始指示、または操作部入力手段による運転開始指示により、運転状態に移行させることができる。
【０２０８】
そのため、ユーザが予約運転開始時に運転停止状態移行より所定時間の経過を検知する検知手段の時間経過検出による運転開始指示を選択していた場合にでも、運転停止状態移行より所定時間の経過を検知する検知手段の時間経過検出による運転開始指示または操作部入力手段による運転開始指示により、運転状態に移行させることができ、製造コストが上がることなく、安全で、さらに操作性のよい、個々のユーザにあわせた洗濯機を提供することができる。
【０２０９】
［第１５の実施の形態］
第１５の実施の形態にかかる全自動洗濯機の構成、機能、および操作部１１の入力キーのレイアウトは、第１の実施の形態にかかる全自動洗濯機の構成、機能、および操作部１１の入力キーのレイアウトと同様である。
【０２１０】
図２０のフローチャートを用いて、第１５の実施の形態にかかる全自動洗濯機での処理について説明する。図２０のフローチャートに示される処理もまた、制御部８に含まれるマイクロコンピュータ１５がＲＯＭ１６に記憶されているプログラムに従って図２に示される各種機能を制御することによって実現される処理であって、ユーザが運転コースおよび各種設定を行なった後、スタートキー３２を押すことで運転が開始（ステップ＃１５−１）される。なお、図２０のフローチャートに示される処理は、予約キー２６が押されることが運転開始の指示であり、第２の実施の形態と同様に、「予約キー入力」、「所定時間の経過」、または「予約キー入力あるいは所定時間の経過」が運転開始条件であるものとし、さらに、以降の説明においては、その中から「予約キー入力」が運転開始条件としてすでに確定されているものとする。
【０２１１】
図２０を参照して、始めに、ステップ＃１５−１で全自動洗濯機の運転が開始されると、制御部８の布量検出手段によって、洗濯兼脱水槽５内に収容された布量が検知され（ステップ＃１５−２）、洗濯に必要な水位および運転制御が確定される（ステップ＃１５−３）。
【０２１２】
その後、処理状態を運転停止状態に移行し（ステップ＃１５−４）、所定時間の経過をエラーと判定するために、エラー検出用の所定時間（たとえば４０秒）を計測するエラー検出用タイマのカウントをスタートさせて（ステップ＃１５−５）、運転開始条件である予約キー２６が押されるまで待機する（ステップ＃１５−６）。
【０２１３】
予約キー２６が押されたことが検出されると（ステップ＃１５−６で「はい」）、マイクロコンピュータ１５は、処理状態を運転停止状態から運転状態に移行して給水等の制御を開始する（ステップ＃１５−７）。
【０２１４】
予約キー２６が押されたことが検出されない間（ステップ＃１５−６で「いいえ」）、マイクロコンピュータ１５は、運転停止状態のままエラー検出用の所定時間の経過を監視する（ステップ＃１５−８）。そして、エラー検出用の所定時間の経過が検出されると（ステップ＃１５−８で「はい」）、表示部２５の所定領域にその旨を示すエラー表示をし（ステップ＃１５−９）、ブザー２０よりその旨を示すエラー報知音を出力させる（ステップ＃１５−１０）。
【０２１５】
その後、ステップ＃１５−５でカウントをスタートさせたエラー検出用のタイマをクリアし（ステップ＃１５−１１）、処理状態を運転停止状態からエラー状態に移行する（ステップ＃１５−１２）。ここで、エラー状態とは、表示部２５の所定領域にエラー表示を継続して表示し、電源キー３１と運転開始条件である予約キー２６としか受付けない状態であるものとする。そして、かかるエラー状態において予約キー２６が押された場合には、エラー状態から運転状態に移行される。一方、電源キー３１が押された場合には、電源がＯＦＦする。何も押されなければエラー状態を継続する。
【０２１６】
以上より、第１５の実施の形態にかかる全自動洗濯機は、操作部入力手段が運転停止状態からの運転開始指示であり、運転停止状態時に所定時間経過後も操作部入力手段により運転開始指示がなされなかった場合には、表示手段にエラーを表示し、エラー報知音を報知することにより、運転開始指示がなされていないことを知らせることができる。
【０２１７】
そのため、ユーザに運転開始指示がなされていないことを知らせることができ、製造コストが上がることなく、安全で、品質のよい洗濯機を提供することができる。
【０２１８】
なお、上述のエラー検出用の所定時間を１分３０秒、運転開始条件である所定時間を１分とするように、運転開始条件である所定時間よりもエラー検出用の所定時間を長くすることによって、運転開始条件である所定時間が経過する前に処理状態がエラー状態に移行することを防ぎ、使用性を向上させることができる。
【０２１９】
つまり、上述の全自動洗濯機は、エラー検出までのエラー検出時間を、運転停止状態移行から所定時間の経過を検知する検知手段の所定時間よりも等しいまたは長くすることにより、所定時間と同じ時間の経過後も運転開始指示がなされていないことを知らせることができる。
【０２２０】
そのため、運転停止状態移行より所定時間の経過する以前にエラーが検出されることがなく、ユーザに運転停止状態移行より所定時間の経過後も運転開始指示がなされていないことを知らせることができる、より安全で、品質のよい洗濯機を提供することができる。
【０２２１】
［第１６の実施の形態］
第１６の実施の形態にかかる全自動洗濯機の構成、機能、および操作部１１の入力キーのレイアウトは、第１の実施の形態にかかる全自動洗濯機の構成、機能、および操作部１１の入力キーのレイアウトと同様である。
【０２２２】
図２１のフローチャートを用いて、第１６の実施の形態にかかる全自動洗濯機での処理について説明する。図２１のフローチャートに示される処理もまた、制御部８に含まれるマイクロコンピュータ１５がＲＯＭ１６に記憶されているプログラムに従って図２に示される各種機能を制御することによって実現される処理であって、ユーザが運転コースおよび各種設定を行なった後、スタートキー３２を押すことで運転が開始（ステップ＃１７−１）される。なお、図２１のフローチャートに示される処理は、予約キー２６が押されることが運転開始の指示であり、第２の実施の形態と同様に、「予約キー入力」、「所定時間の経過」、または「予約キー入力あるいは所定時間の経過」が運転開始条件であるものとし、さらに、以降の説明においては、その中から「予約キー入力」が運転開始条件としてすでに確定されているものとする。
【０２２３】
図２１を参照して、始めに、ステップ＃１７−１で全自動洗濯機の運転が開始されると、制御部８の布量検出手段によって、洗濯兼脱水槽５内に収容された布量が検知され（ステップ＃１７−２）、洗濯に必要な水位および運転制御が確定される（ステップ＃１７−３）。
【０２２４】
その後、処理状態を運転停止状態に移行し（ステップ＃１７−４）、第１５の実施の形態と同様に、所定時間の経過をエラーと判定するために、エラー検出用の所定時間を計測するエラー検出用タイマをクリアした後（＃１７−５）、そのカウントをスタートさせて（ステップ＃１７−６）、運転開始条件である予約キー２６が押されるまで待機する（ステップ＃１７−７）。
【０２２５】
予約キー２６が押されたことが検出されると（ステップ＃１７−７で「はい」）、マイクロコンピュータ１５は、処理状態を運転停止状態から運転状態に移行して給水等の制御を開始する（ステップ＃１７−８）。
【０２２６】
予約キー２６が押されたことが検出されない間（ステップ＃１７−７で「いいえ」）、マイクロコンピュータ１５は、運転停止状態のままエラー検出用の所定時間の経過を監視する（ステップ＃１７−９）。そして、エラー検出用の所定時間の経過が検出されると（ステップ＃１７−９で「はい」）、表示部２５の所定領域にその旨を示すエラー表示をし（ステップ＃１７−１０）、ブザー２０よりその旨を示すエラー報知音を出力させる（ステップ＃１７−１１）。そしてその後、処理を上述のステップ＃１７−５に戻し、上述の処理をステップ＃１７−７で運転開始条件である予約キー２６が押されるまで繰返す。
【０２２７】
以上より、第１６の実施の形態にかかる全自動洗濯機は、さらに、エラー検出によるエラー報知後、再度エラー検出時間の計時を開始し、エラー検出時間を検出した場合には、エラー報知音を報知することにより、再度エラーを報知することができる。
【０２２８】
そのため、ユーザに再度エラーを報知でき、周辺にいるユーザにエラーを確実に知らせることができる、品質のよい洗濯機を提供することができる。
【０２２９】
［第１７の実施の形態］
第１７の実施の形態にかかる全自動洗濯機の構成、機能、および操作部１１の入力キーのレイアウトは、第１の実施の形態にかかる全自動洗濯機の構成、機能、および操作部１１の入力キーのレイアウトと同様である。
【０２３０】
図２２のフローチャートを用いて、第１７の実施の形態にかかる全自動洗濯機での処理について説明する。図２２のフローチャートに示される処理もまた、制御部８に含まれるマイクロコンピュータ１５がＲＯＭ１６に記憶されているプログラムに従って図２に示される各種機能を制御することによって実現される処理であって、ユーザが運転コースおよび各種設定を行なった後、スタートキー３２を押すことで運転が開始（ステップ＃１８−１）される。なお、図２２のフローチャートに示される処理は、予約キー２６が押されることが運転開始の指示であり、第２の実施の形態と同様に、「予約キー入力」、「所定時間の経過」、または「予約キー入力あるいは所定時間の経過」が運転開始条件であるものとし、さらに、以降の説明においては、その中から「予約キー入力」が運転開始条件としてすでに確定されているものとする。
【０２３１】
図２２を参照して、始めに、ステップ＃１８−１で全自動洗濯機の運転が開始されると、制御部８の布量検出手段によって、洗濯兼脱水槽５内に収容された布量が検知され（ステップ＃１８−２）、洗濯に必要な水位および運転制御が確定される（ステップ＃１８−３）。
【０２３２】
その後、処理状態を運転停止状態に移行し（ステップ＃１８−４）、所定のエラー回数（たとえば３回）までエラー回数をカウントするためのエラーカウントをクリアし（＃１８−５）、第１５の実施の形態と同様に、所定時間の経過をエラーと判定するために、エラー検出用の所定時間を計測するエラー検出用タイマをクリアした後（＃１８−６）、そのカウントをスタートさせて（ステップ＃１８−７）、運転開始条件である予約キー２６が押されるまで待機する（ステップ＃１８−８）。
【０２３３】
予約キー２６が押されたことが検出されると（ステップ＃１８−８で「はい」）、マイクロコンピュータ１５は、処理状態を運転停止状態から運転状態に移行して給水等の制御を開始する（ステップ＃１８−９）。
【０２３４】
予約キー２６が押されたことが検出されない間（ステップ＃１８−８で「いいえ」）、マイクロコンピュータ１５は、運転停止状態のままエラー検出用の所定時間の経過を監視する（ステップ＃１８−１０）。そして、エラー検出用の所定時間の経過が検出されると（ステップ＃１８−１０で「はい」）、表示部２５の所定領域にその旨を示すエラー表示をし（ステップ＃１８−１１）、ブザー２０よりその旨を示すエラー報知音を出力させる（ステップ＃１８−１２）。さらに、ステップ＃１８−５でカウントをクリアしたエラーカウントでエラー回数を１カウントする（ステップ＃１８−１３）。
【０２３５】
次に、マイクロコンピュータ１５は、エラーカウントでカウントされたエラー回数が所定回数に達しているか否かを判定し（ステップ＃１８−１４）、所定回数に達していない場合には（ステップ＃１８−１４で「いいえ」）、処理をステップ＃１８−６に戻し、エラー回数が所定回数に達するまで上述の処理を繰返す。
【０２３６】
エラーカウントでカウントされたエラー回数が所定回数に達した場合には（ステップ＃１８−１４で「はい」）、ステップ＃１８−６でカウントをスタートさせたエラー検出用のタイマをクリアし（ステップ＃１８−１５）、処理状態を運転停止状態からエラー状態に移行する（ステップ＃１８−１６）。
【０２３７】
以上より、第１７の実施の形態にかかる全自動洗濯機は、さらに、エラー報知回数が所定回数に達した場合には、エラー検出時間の計時を開始しないようにすることにより、使用者に必要以上の報知を行なわないようにすることができる。
【０２３８】
そのため、ユーザに必要以上の報知を行なうことなく、無駄のない、品質のよい洗濯機を提供することができる。
【０２３９】
［第１８の実施の形態］
第１８の実施の形態にかかる全自動洗濯機の構成、機能、および操作部１１の入力キーのレイアウトは、第１の実施の形態にかかる全自動洗濯機の構成、機能、および操作部１１の入力キーのレイアウトと同様である。
【０２４０】
図２３のフローチャートを用いて、第１８の実施の形態にかかる全自動洗濯機での処理について説明する。図２３のフローチャートに示される処理もまた、制御部８に含まれるマイクロコンピュータ１５がＲＯＭ１６に記憶されているプログラムに従って図２に示される各種機能を制御することによって実現される処理であって、ユーザが運転コースおよび各種設定を行なった後、スタートキー３２を押すことで運転が開始（ステップ＃１９−１）される。なお、図２３のフローチャートに示される処理は、予約キー２６が押されることが運転開始の指示であり、第２の実施の形態と同様に、「予約キー入力」、「所定時間の経過」、または「予約キー入力あるいは所定時間の経過」が運転開始条件であるものとし、さらに、以降の説明においては、その中から「予約キー入力」が運転開始条件としてすでに確定されているものとする。
【０２４１】
図２３を参照して、始めに、ステップ＃１９−１で全自動洗濯機の運転が開始されると、制御部８の布量検出手段によって、洗濯兼脱水槽５内に収容された布量が検知され（ステップ＃１９−２）、洗濯に必要な水位および運転制御が確定される（ステップ＃１９−３）。
【０２４２】
その後、処理状態を運転停止状態に移行し（ステップ＃１９−４）、第１５の実施の形態と同様に、所定時間の経過をエラーと判定するために、エラー検出用の所定時間を計測するエラー検出用タイマのカウントをスタートさせて（ステップ＃１９−５）、運転開始条件である予約キー２６が押されるまで待機する（ステップ＃１９−６）。
【０２４３】
予約キー２６が押されたことが検出されると（ステップ＃１９−６で「はい」）、マイクロコンピュータ１５は、処理状態を運転停止状態から運転状態に移行して給水等の制御を開始する（ステップ＃１９−７）。
【０２４４】
予約キー２６が押されたことが検出されない間（ステップ＃１９−６で「いいえ」）、マイクロコンピュータ１５は、運転停止状態のままエラー検出用の所定時間の経過を監視する（ステップ＃１９−８）。そして、エラー検出用の所定時間の経過が検出されると（ステップ＃１９−８で「はい」）、同一の表示領域である表示部２５の所定領域に、その旨を示すエラー表示と洗剤量表示とを交互に所定間隔（たとえば１秒間隔）で表示し（ステップ＃１９−９）、ブザー２０よりその旨を示すエラー報知音を出力させる（ステップ＃１９−１０）。
【０２４５】
その後、ステップ＃１９−５でカウントをスタートさせたエラー検出用のタイマをクリアし（ステップ＃１９−１１）、処理状態を運転停止状態からエラー状態に移行する（ステップ＃１９−１２）。
【０２４６】
以上より、第１８の実施の形態にかかる全自動洗濯機は、エラー表示と洗剤量表示とを同一の表示部にて表示可能に構成されて、エラー検出によりエラー表示を行なう場合にはエラー表示と洗剤量表示とを表示部に交互に表示させることにより、エラーが検出された場合でも洗剤量を確認することができる。
【０２４７】
そのため、ユーザは、エラーが表示された場合でも洗剤量を確認することができ、また同一表示部で表示するため、製造コストが上がることなく、無駄のない、品質のよい洗濯機を提供することができる。
【０２４８】
さらに、上述の全自動洗濯機の制御方法を、プログラムとして提供することもできる。このようなプログラムは、コンピュータに付属するフレキシブルディスク、ＣＤ−ＲＯＭ（Compact Disc-Read Only Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０２４９】
提供されるプログラム製品は、ハードディスクなどのプログラム格納部にインストールされて実行される。なお、プログラム製品は、プログラム自体と、プログラムが記録された記録媒体とを含む。
【０２５０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０２５１】
【図１】第１の実施の形態にかかる全自動洗濯機の概略構成の具体例を示す図である。
【図２】制御部８と、それによって駆動される各種機能とを示すブロック図である。
【図３】第１の実施の形態にかかる全自動洗濯機の操作部１１の入力キーのレイアウトの具体例を示す図である。
【図４】第１の実施の形態にかかる全自動洗濯機での処理を示すフローチャートである。
【図５】第２の実施の形態にかかる全自動洗濯機での処理を示すフローチャートである。
【図６】第３の実施の形態にかかる全自動洗濯機の操作部１１の入力キーのレイアウトの具体例を示す図である。
【図７】第４の実施の形態にかかる全自動洗濯機の制御部８と、それによって駆動される各種機能とを示すブロック図である。
【図８】第４の実施の形態にかかる全自動洗濯機での処理を示すフローチャートである。
【図９】第５の実施の形態にかかる全自動洗濯機の操作部１１の入力キーのレイアウトの具体例を示す図である。
【図１０】第５の実施の形態にかかる全自動洗濯機での処理を示すフローチャートである。
【図１１】第６の実施の形態にかかる全自動洗濯機での処理を示すフローチャートである。
【図１２】第７の実施の形態にかかる全自動洗濯機での処理を示すフローチャートである。
【図１３】第８の実施の形態にかかる全自動洗濯機での処理を示すフローチャートである。
【図１４】第９の実施の形態にかかる全自動洗濯機での処理を示すフローチャートである。
【図１５】第１０の実施の形態にかかる全自動洗濯機での処理を示すフローチャートである。
【図１６】第１１の実施の形態にかかる全自動洗濯機での処理を示すフローチャートである。
【図１７】第１２の実施の形態にかかる全自動洗濯機での処理を示すフローチャートである。
【図１８】第１３の実施の形態にかかる全自動洗濯機での処理を示すフローチャートである。
【図１９】第１４の実施の形態にかかる全自動洗濯機での処理を示すフローチャートである。
【図２０】第１５の実施の形態にかかる全自動洗濯機での処理を示すフローチャートである。
【図２１】第１６の実施の形態にかかる全自動洗濯機での処理を示すフローチャートである。
【図２２】第１７の実施の形態にかかる全自動洗濯機での処理を示すフローチャートである。
【図２３】第１８の実施の形態にかかる全自動洗濯機での処理を示すフローチャートである。
【符号の説明】
【０２５２】
１  給水電磁弁、２  フタ、３  洗剤溶解ボックス、４  洗濯機外槽、５  洗濯兼脱水槽、６  水槽、７  パルセータ、８  制御部、８Ａ  不揮発性メモリ、９  機構部、１０  駆動用モータ、１１  操作部、１２  スイッチ、１３  洗濯機上面板、１４  水位センサ、１５，１５Ａ  マイクロコンピュータ、１６  ＲＯＭ、１７  入力キー回路、１８  状態検知回路、１９  表示装置、２０  ブザー、２１  負荷駆動回路、２２  リセット回路、２３  カウント部、２４  ＲＡＭ、２５  表示部、２５Ａ，２５Ｂ  表示部上の領域、２６  予約キー、２７  洗いキー、２８  すすぎキー、２９  脱水キー、３０  コースキー、３１  電源キー、３２  スタートキー。
【図１】
2005334421.tif 000003
【図２】
2005334421.tif 000004
【図３】
2005334421.tif 000005
【図４】
2005334421.tif 000006
【図５】
2005334421.tif 000007
【図６】
2005334421.tif 000008
【図７】
2005334421.tif 000009
【図８】
2005334421.tif 000010
【図９】
2005334421.tif 000011
【図１０】
2005334421.tif 000012
【図１１】
2005334421.tif 000013
【図１２】
2005334421.tif 000014
【図１３】
2005334421.tif 000015
【図１４】
2005334421.tif 000016
【図１５】
2005334421.tif 000017
【図１６】
2005334421.tif 000018
【図１７】
2005334421.tif 000019
【図１８】
2005334421.tif 000020
【図１９】
2005334421.tif 000021
【図２０】
2005334421.tif 000022
【図２１】
2005334421.tif 000023
【図２２】
2005334421.tif 000024
【図２３】
2005334421.tif 000025